(57)【要約】  本開示は、ＲＲＣ接続再確立のベアラ設定方法、端末及びネットワーク機器を提供する。本開示の方法は、端末から送信されたＲＲＣ再確立完了メッセージを受信すると、端末がアクセスしようとするターゲットネットワークがサポートする、第１のネットワークをサポートする第１のタイプのＰＤＣＰ又は第２のネットワークをサポートする第２のタイプのＰＤＣＰを含むＰＤＣＰタイプを特定することと、特定されたＰＤＣＰタイプに基づいて、ＲＲＣの後続プロセスにおけるベアラを再設定することと、を含む。
2021521739.tif 000002
【特許請求の範囲】
【請求項１】
ネットワーク機器に適用されるＲＲＣ（Ｒａｄｉｏ  Ｒｅｓｏｕｒｃｅ  Ｃｏｎｔｒｏｌ）接続再確立のベアラ設定方法であって、
端末から送信されたＲＲＣ再確立完了メッセージを受信すると、前記端末がアクセスしようとするターゲットネットワークがサポートする、第１のネットワークをサポートする第１のタイプのＰＤＣＰ（Ｐａｃｋｅｔ  Ｄａｔａ  Ｃｏｎｖｅｒｇｅｎｃｅ  Ｐｒｏｔｏｃｏｌ）又は第２のネットワークをサポートする第２のタイプのＰＤＣＰを含むＰＤＣＰタイプを特定することと、
特定された前記ＰＤＣＰタイプに基づいて、ＲＲＣの後続プロセスにおけるベアラを再設定することと、を含む、ＲＲＣ接続再確立のベアラ設定方法。
【請求項２】
特定された前記ＰＤＣＰタイプに基づいて、ＲＲＣの後続プロセスにおけるベアラを再設定することは、
前記端末が前記第１のタイプのＰＤＣＰを用いてＳＲＢ（Ｓｉｇｎａｌｉｎｇ  ｒａｄｉｏ  ｂｅａｒｅｒ）１を設定することを検出し、かつ前記端末がアクセスしようとするターゲットネットワークがサポートするＰＤＣＰタイプが前記第２のタイプのＰＤＣＰであると特定した場合、前記第２のタイプのＰＤＣＰを用いてＲＲＣ再確立プロセスにおける全てのベアラを再設定すること、又は、
前記端末が前記第１のタイプのＰＤＣＰを用いてＳＲＢ１を設定することを検出し、かつ前記端末がアクセスしようとするターゲットネットワークがサポートするＰＤＣＰタイプが前記第２のタイプのＰＤＣＰではないと特定した場合、前記第１のタイプのＰＤＣＰを用いてＲＲＣ再確立プロセスにおける全てのベアラを再設定すること、を含む、請求項１に記載のＲＲＣ接続再確立のベアラ設定方法。
【請求項３】
前記第２のタイプのＰＤＣＰを用いてＲＲＣ再確立プロセスにおける全てのベアラを再設定することは、
再設定シグナリングにより、前記第２のタイプのＰＤＣＰを用いてＲＲＣ再確立プロセスにおける全てのベアラを再設定すること、又は、
ＲＲＣ再確立プロセスにおいてプリセットメッセージが伝送されたか又は所定の条件が満たされた後に、前記第２のタイプのＰＤＣＰを用いてＲＲＣ再確立プロセスにおける全てのベアラを再設定すること、を含む、請求項２に記載のＲＲＣ接続再確立のベアラ設定方法。
【請求項４】
前記第１のタイプのＰＤＣＰを用いてＲＲＣ再確立プロセスにおける全てのベアラを再設定した後に、
ＱｏＳフローからＥＰＳ（Ｅｖｏｌｖｅｄ  ｐａｃｋｅｔ  ｓｙｓｔｅｍ）ベアラへのマッピングを行うことと、
確立されたＳＤＡＰ（Ｓｅｒｖｉｃｅ  Ｄａｔａ  Ａｄａｐｔａｔｉｏｎ  Ｐｒｏｔｏｃｏｌ）エンティティを削除することと、
ＮＲコアネットワークの暗号鍵からＬＴＥコアネットワーク暗号鍵への変換をマッピングにより行い、ＬＴＥ無線インタフェースによって用いられる暗号鍵を得ることと、をさらに含む、請求項２に記載のＲＲＣ接続再確立のベアラ設定方法。
【請求項５】
特定された前記ＰＤＣＰタイプに基づいて、ＲＲＣの後続プロセスにおけるベアラを再設定することは、
前記端末が前記第２のタイプのＰＤＣＰを用いてＳＲＢ１を設定することを検出し、かつ前記端末がアクセスしようとするターゲットネットワークがサポートするＰＤＣＰタイプが前記第２のタイプのＰＤＣＰであると特定した場合、ＲＲＣ再確立プロセスにおけるベアラに対して元の設定を保持するか、又は前記第１のタイプのＰＤＣＰを用いてＲＲＣ再確立プロセスにおける全てのベアラを再設定すること、
又は、
前記端末が前記第２のタイプのＰＤＣＰを用いてＳＲＢ１を設定することを検出し、かつ前記端末がアクセスしようとするターゲットネットワークがサポートするＰＤＣＰタイプが前記第２のタイプのＰＤＣＰではないと特定したが、ＲＲＣ再確立完了メッセージを解析することができる場合、前記第１のタイプのＰＤＣＰを用いてＲＲＣ再確立プロセスにおける全てのベアラを再設定すること、
又は、
前記端末が前記第２のタイプのＰＤＣＰを用いてＳＲＢ１を設定することを検出し、かつ前記端末がアクセスしようとするターゲットネットワークがサポートするＰＤＣＰタイプが前記第２のタイプのＰＤＣＰではないと特定したが、ＲＲＣ再確立完了メッセージを解析することができない場合、前記ＲＲＣ再確立完了メッセージの拒否を送信すること、を含む、請求項１に記載のＲＲＣ接続再確立のベアラ設定方法。
【請求項６】
前記端末から送信された、主要ＰＬＭＮ（ｐｕｂｌｉｃ  ｌａｎｄ  ｍｏｂｉｌｅ  ｎｅｔｗｏｒｋ）を含むＣＧＩ（ｃｅｌｌ  ｇｌｏｂａｌ  ｉｄｅｎｔｉｔｙ）情報を付帯している無線リンク測定失敗報告を受信することをさらに含む、請求項１に記載の無線リソース制御ＲＲＣ接続再確立のベアラ設定方法。
【請求項７】
端末に適用されるＲＲＣ（Ｒａｄｉｏ  Ｒｅｓｏｕｒｃｅ  Ｃｏｎｔｒｏｌ）接続再確立のベアラ設定方法であって、
ＲＲＣ再確立完了メッセージを送信するための、ＳＲＢ１に対してＰＤＣＰ設定を行う、第１のネットワークをサポートする第１のタイプのＰＤＣＰ又は第２のネットワークをサポートする第２のタイプのＰＤＣＰを含む、ＰＤＣＰタイプを特定することと、
前記ＰＤＣＰ設定を行うＰＤＣＰタイプに基づいて、ネットワーク機器にＲＲＣ再確立完了メッセージを送信することと、を含む、ＲＲＣ接続再確立のベアラ設定方法。
【請求項８】
前記のＲＲＣ再確立完了メッセージを送信するための、ＳＲＢ１に対してパケットデータ収束プロトコルＰＤＣＰ設定を行うＰＤＣＰタイプを特定することは、
ＲＲＣ再確立完了メッセージを送信するための、ＳＲＢ１に対してＰＤＣＰ設定を行うＰＤＣＰタイプが前記第１のタイプのＰＤＣＰであると特定することを含む、請求項７に記載のＲＲＣ接続再確立のベアラ設定方法。
【請求項９】
ＲＲＣ再確立完了メッセージを送信するための、ＳＲＢ１に対してＰＤＣＰ設定を行うＰＤＣＰタイプを特定することは、
予め定義された方式に基づいて、又はターゲットアクセスネットワークがサポートするＰＤＣＰタイプが前記第２のタイプのＰＤＣＰではないか又は端末のアクセスがタイムアウトすることを検出した場合、ＲＲＣ再確立完了メッセージを送信するための、前記ＳＲＢ１に対してＰＤＣＰ設定を行うＰＤＣＰタイプが前記第１のタイプのＰＤＣＰにフォールバックすると特定することを含む、請求項７に記載のＲＲＣ接続再確立のベアラ設定方法。
【請求項１０】
前記ネットワーク機器にＲＲＣ再確立完了メッセージを送信した後に、
ＱｏＳフローからＥＰＳベアラへのマッピングを行うことと、
確立されたＳＤＡＰエンティティを削除することと、
ＮＲコアネットワークの暗号鍵からＬＴＥコアネットワーク暗号鍵への変換をマッピングにより行い、ＬＴＥ無線インタフェースによって用いられる暗号鍵を得ることと、をさらに含む、請求項８又は９に記載のＲＲＣ接続再確立のベアラ設定方法。
【請求項１１】
ＲＲＣ再確立完了メッセージを送信するための、ＳＲＢ１に対してＰＤＣＰ設定を行うＰＤＣＰタイプを特定することは、
予め定義された方式に基づいて、又はアクセスされたターゲットネットワークがサポートするＰＤＣＰタイプが前記第２のタイプのＰＤＣＰであることを検出した場合、ＲＲＣ再確立完了メッセージを送信するための、前記ＳＲＢ１に対してＰＤＣＰ設定を行うＰＤＣＰタイプが前記第２のタイプのＰＤＣＰであると特定することを含む、請求項７に記載のＲＲＣ接続再確立のベアラ設定方法。
【請求項１２】
前記ネットワーク機器にＲＲＣ再確立完了メッセージを送信する前に、
再確立の対象となるネットワーク規格に基づいて、ＮＲ  ＲＲＣ再確立要求メッセージを用いてＲＲＣ再確立要求を開始すること、又は
ＬＴＥ  ＲＲＣ再確立要求メッセージを用いてＲＲＣ再確立要求を開始することをさらに含む、請求項１１に記載のＲＲＣ接続再確立のベアラ設定方法。
【請求項１３】
ＲＬＣ（Ｒａｄｉｏ  ｒｅｓｏｕｒｃｅ  ｃｏｎｔｒｏｌ）が、対応する規格のデフォルト設定を用い、かつ無線インタフェースリソース設定シグナリングにより、端末のＲＬＣ、ＭＡＣ（ｍｅｄｉａ  ａｃｃｅｓｓ  ｃｏｎｔｒｏｌ）及びＰＨＹ（ｐｈｙｓｉｃａｌ  ｌａｙｅｒ）を再設定することを含む、請求項１２に記載のＲＲＣ接続再確立のベアラ設定方法。
【請求項１４】
ＲＲＣ再確立要求を開始する前に、
ネットワーク機器に、主要ＰＬＭＮを含むＣＧＩ情報を付帯している無線リンク失敗報告を送信することをさらに含む、請求項１３に記載のＲＲＣ接続再確立のベアラ設定方法。
【請求項１５】
前記ＣＧＩ情報は、
ＬＴＥ（Ｌｏｎｇ  ｔｅｒｍ  ｅｖｏｌｕｔｉｏｎ）コアネットワークのＰＬＭＮリスト及びＮＲ（Ｎｅｗ  Ｒａｄｉｏ）コアネットワークのＰＬＭＮリスト、又は
前記ＮＲコアネットワークのＰＬＭＮリスト、又は
前記ＬＴＥコアネットワークのＰＬＭＮリストを含む、請求項１４に記載のＲＲＣ接続再確立のベアラ設定方法。
【請求項１６】
前記主要ＰＬＭＮは、ＬＴＥコアネットワークのＰＬＭＮリスト中の１番目のＰＬＭＮであり、又は
前記主要ＰＬＭＮは、ＮＲコアネットワークのＰＬＭＮリスト中の１番目のＰＬＭＮであり、又は
ＬＴＥコアネットワークのＰＬＭＮリスト及びＮＲコアネットワークのＰＬＭＮリストが同時に存在する場合、前記主要ＰＬＭＮはＬＴＥコアネットワークのＰＬＭＮリスト中の１番目のＰＬＭＮであり、又は
ＬＴＥコアネットワークのＰＬＭＮリスト及びＮＲコアネットワークのＰＬＭＮリストが同時に存在する場合、前記主要ＰＬＭＮはＮＲコアネットワークのＰＬＭＮリスト中の１番目のＰＬＭＮであり、又は
ＬＴＥコアネットワークのＰＬＭＮリスト及びＮＲコアネットワークのＰＬＭＮリストが同時に存在し、かつＬＴＥコアネットワークのＰＬＭＮリストが無効値である場合、前記主要ＰＬＭＮはＮＲコアネットワークのＰＬＭＮリスト中の１番目のＰＬＭＮであり、又は
端末がＬＴＥコアネットワークの非アクセス層にある場合、前記主要ＰＬＭＮはＬＴＥコアネットワークのＰＬＭＮリスト中の１番目のＰＬＭＮであり、又は
端末がＮＲコアネットワークの非アクセス層にある場合、前記主要ＰＬＭＮはＮＲコアネットワークのＰＬＭＮリスト中の１番目のＰＬＭＮである、請求項１５に記載のＲＲＣ接続再確立のベアラ設定方法。
【請求項１７】
端末から送信されたＲＲＣ再確立完了メッセージを受信すると、前記端末がアクセスしようとするターゲットネットワークがサポートする、第１のネットワークをサポートする第１のタイプのＰＤＣＰ又は第２のネットワークをサポートする第２のタイプのＰＤＣＰを含むＰＤＣＰタイプを特定する第１の受信モジュールと、
特定された前記ＰＤＣＰタイプに基づいて、ＲＲＣの後続プロセスにおけるベアラを再設定する再設定モジュールと、を含む、ネットワーク機器。
【請求項１８】
前記再設定モジュールは、
前記端末が前記第１のタイプのＰＤＣＰを用いてＳＲＢ１を設定することを検出し、かつ前記端末がアクセスしようとするターゲットネットワークがサポートするＰＤＣＰタイプが前記第２のタイプのＰＤＣＰであると特定した場合、前記第２のタイプのＰＤＣＰを用いてＲＲＣ再確立プロセスにおける全てのベアラを再設定し、又は、  
前記端末が前記第１のタイプのＰＤＣＰを用いてＳＲＢ１を設定することを検出し、かつ前記端末がアクセスしようとするターゲットネットワークがサポートするＰＤＣＰタイプが前記第２のタイプのＰＤＣＰではないと特定した場合、前記第１のタイプのＰＤＣＰを用いてＲＲＣ再確立プロセスにおける全てのベアラを再設定する、請求項１７に記載のネットワーク機器。
【請求項１９】
前記再設定モジュールは、
再設定シグナリングにより、前記第２のタイプのＰＤＣＰを用いてＲＲＣ再確立プロセスにおける全てのベアラを再設定し、又は
ＲＲＣ再確立プロセスにおいてプリセットメッセージが伝送されたか又は所定の条件が満たされた後に、前記第２のタイプのＰＤＣＰを用いてＲＲＣ再確立プロセスにおける全てのベアラを再設定する、請求項１９に記載のネットワーク機器。
【請求項２０】
ＱｏＳフローからＥＰＳベアラへのマッピングを行う第１のマッピングモジュールと、
確立されたＳＤＡＰエンティティを削除する第１の削除モジュールと、
ＮＲコアネットワークの暗号鍵からＬＴＥコアネットワーク暗号鍵への変換をマッピングにより行い、ＬＴＥ無線インタフェースによって用いられる暗号鍵を得るための第１の変換モジュールと、をさらに含む、請求項１８に記載のネットワーク機器。
【請求項２１】
前記再設定モジュールは、
前記端末が前記第２のタイプのＰＤＣＰを用いてＳＲＢ１を設定することを検出し、かつ前記端末がアクセスしようとするターゲットネットワークがサポートするＰＤＣＰタイプが前記第２のタイプのＰＤＣＰであると特定した場合、ＲＲＣ再確立プロセスにおけるベアラに対して元の設定を保持するか、又は前記第１のタイプのＰＤＣＰを用いてＲＲＣ再確立プロセスにおける全てのベアラを再設定し、
又は、
前記端末が前記第２のタイプのＰＤＣＰを用いてＳＲＢ１を設定することを検出し、かつ前記端末がアクセスしようとするターゲットネットワークがサポートするＰＤＣＰタイプが前記第２のタイプのＰＤＣＰではないと特定したが、ＲＲＣ再確立完了メッセージを解析することができる場合、前記第１のタイプのＰＤＣＰを用いてＲＲＣ再確立プロセスにおける全てのベアラを再設定し、
又は、
前記端末が前記第２のタイプのＰＤＣＰを用いてＳＲＢ１を設定することを検出し、かつ前記端末がアクセスしようとするターゲットネットワークがサポートするＰＤＣＰタイプが前記第２のタイプのＰＤＣＰではないと特定したが、ＲＲＣ再確立完了メッセージを解析することができない場合、前記ＲＲＣ再確立完了メッセージの拒否を送信する、請求項１７に記載のネットワーク機器。
【請求項２２】
前記端末から送信された、主要ＰＬＭＮを含むＣＧＩ情報を付帯している無線リンク測定失敗報告を受信する第２の受信モジュールをさらに含む、請求項１７に記載のネットワーク機器。
【請求項２３】
メモリと、プロセッサと、メモリに記憶され、かつプロセッサ上で実行でき、前記プロセッサにより実行されると、請求項１〜６のいずれか１項に記載のＲＲＣ接続再確立のベアラ設定方法を実現するコンピュータプログラムと、を含むネットワーク機器。
【請求項２４】
ＲＲＣ再確立完了メッセージを送信するための、ＳＲＢ１に対してＰＤＣＰ設定を行う、第１のネットワークをサポートする第１のタイプのＰＤＣＰ又は第２のネットワークをサポートする第２のタイプのＰＤＣＰを含む、ＰＤＣＰタイプを特定する特定モジュールと、
前記ＰＤＣＰ設定を行うＰＤＣＰタイプに基づいて、ネットワーク機器にＲＲＣ再確立完了メッセージを送信する第１の送信モジュールと、を含む、端末。
【請求項２５】
前記特定モジュールは、ＲＲＣ再確立完了メッセージを送信するための、ＳＲＢ１に対してＰＤＣＰ設定を行うＰＤＣＰタイプが前記第１のタイプのＰＤＣＰであると特定する、請求項２４に端末。
【請求項２６】
前記特定モジュールは、予め定義された方式に基づいて、又はターゲットアクセスネットワークがサポートするＰＤＣＰタイプが前記第２のタイプのＰＤＣＰではないか又は端末のアクセスがタイムアウトすることを検出した場合、ＲＲＣ再確立完了メッセージを送信するための、前記ＳＲＢ１に対してＰＤＣＰ設定を行うＰＤＣＰタイプが前記第１のタイプのＰＤＣＰにフォールバックすると特定する、請求項２４に記載の端末。
【請求項２７】
ＱｏＳフローからＥＰＳベアラへのマッピングを行う第２のマッピングモジュールと、
確立されたＳＤＡＰエンティティを削除する第２の削除モジュールと、
ＮＲコアネットワークの暗号鍵からＬＴＥコアネットワーク暗号鍵への変換をマッピングにより行い、ＬＴＥ無線インタフェースによって用いられる暗号鍵を得る第２の変換モジュールと、をさらに含む、請求項２５又は２６に記載の端末。
【請求項２８】
前記特定モジュールは、
予め定義された方式に基づいて、又はアクセスされたターゲットネットワークがサポートするＰＤＣＰタイプが前記第２のタイプのＰＤＣＰであることを検出した場合、ＲＲＣ再確立完了メッセージを送信するための、前記ＳＲＢ１に対してＰＤＣＰ設定を行うＰＤＣＰタイプが前記第２のタイプのＰＤＣＰであると特定する、請求項２４に記載の端末。
【請求項２９】
前記第１の送信モジュールは、
再確立の対象となるネットワーク規格に基づいて、ＮＲ  ＲＲＣ再確立要求メッセージを用いてＲＲＣ再確立要求を開始し、又は
ＬＴＥ  ＲＲＣ再確立要求メッセージを用いてＲＲＣ再確立要求を開始する、請求項２８に記載の端末。
【請求項３０】
ＲＬＣが、対応する規格のデフォルト設定を用い、かつ無線インタフェースリソース設定シグナリングにより、端末のＲＬＣ、ＭＡＣ及びＰＨＹを再設定するように制御する設定モジュールをさらに含む、請求項２９に記載の端末。
【請求項３１】
前記第１の送信モジュールがＲＲＣ再確立要求を開始する前に、ネットワーク機器に、主要ＰＬＭＮを含むＣＧＩ情報を付帯している無線リンク失敗報告を送信する第２の送信モジュールをさらに含む、請求項２９に記載の端末。
【請求項３２】
前記ＣＧＩ情報は、
ＬＴＥコアネットワークのＰＬＭＮリスト及びＮＲ（Ｎｅｗ  Ｒａｄｉｏ）コアネットワークのＰＬＭＮリスト、又は
前記ＮＲコアネットワークのＰＬＭＮリスト、又は
前記ＬＴＥコアネットワークのＰＬＭＮリストを含む、請求項３１に記載の端末。
【請求項３３】
前記主要ＰＬＭＮは、ＬＴＥコアネットワークのＰＬＭＮリスト中の１番目のＰＬＭＮであり、又は
前記主要ＰＬＭＮは、ＮＲコアネットワークのＰＬＭＮリスト中の１番目のＰＬＭＮであり、又は
ＬＴＥコアネットワークのＰＬＭＮリスト及びＮＲコアネットワークのＰＬＭＮリストが同時に存在する場合、前記主要ＰＬＭＮはＬＴＥコアネットワークのＰＬＭＮリスト中の１番目のＰＬＭＮであり、又は
ＬＴＥコアネットワークのＰＬＭＮリスト及びＮＲコアネットワークのＰＬＭＮリストが同時に存在する場合、前記主要ＰＬＭＮはＮＲコアネットワークのＰＬＭＮリスト中の１番目のＰＬＭＮであり、又は
ＬＴＥコアネットワークのＰＬＭＮリスト及びＮＲコアネットワークのＰＬＭＮリストが同時に存在し、かつＬＴＥコアネットワークのＰＬＭＮリストが無効値である場合、前記主要ＰＬＭＮはＮＲコアネットワークのＰＬＭＮリスト中の１番目のＰＬＭＮであり、又は
端末がＬＴＥコアネットワークの非アクセス層にある場合、前記主要ＰＬＭＮはＬＴＥコアネットワークのＰＬＭＮリスト中の１番目のＰＬＭＮであり、又は
端末がＮＲコアネットワークの非アクセス層にある場合、前記主要ＰＬＭＮはＮＲコアネットワークのＰＬＭＮリスト中の１番目のＰＬＭＮである、請求項３２に記載の端末。
【請求項３４】
メモリと、プロセッサと、メモリに記憶され、かつプロセッサ上で実行でき、前記プロセッサにより実行されると、請求項７〜１６のいずれか１項に記載のＲＲＣ接続再確立のベアラ設定方法を実現するコンピュータプログラムと、を含む端末。
【請求項３５】
プロセッサにより実行されると、請求項１〜６のいずれか１項又は請求項７〜１６のいずれか１項に記載のＲＲＣ接続再確立のベアラ設定方法を実現するコンピュータプログラムが記憶されているコンピュータ読み取り可能な記憶媒体。
【発明の詳細な説明】
【技術分野】
【０００１】
本願は、２０１８年５月１０日に提出された中国特許出願第２０１８１０４４５３２６．３号の優先権を主張するものであり、その全ての内容は参照により本願に組み込まれるものとする。
本開示は、通信応用の技術分野に関し、特にＲＲＣ接続再確立のベアラ設定方法、端末及びネットワーク機器に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）無線アクセスネットワークＲＡＮは、主に５Ｇシステムの２つの発展方向となるｅＬＴＥ及び５Ｇ新たな無線技術ＮＲを定義している。ｅＬＴＥとは、ＬＴＥ無線インタフェースが５Ｇコアネットワーク（ＮＧＣ、ｆｒｏｍ  Ｒ１５）にアクセスすることを意味する。ｅＬＴＥプロジェクトは、ＲＡＮ  ＃７５会議で成功に確立され（ＲＰ−１７０８４０）、ＲＡＮ２＃９８回会議で討論された。
【０００３】
ＬＴＥについては、例えば、ＬＴＥ基地局がＥＰＣ（４Ｇコアネットワーク）とＮＧＣ（５Ｇコアネットワーク）と同時に接続されたり、ＬＴＥが５ＧＣのみに接続され、又はＬＴＥがＥＰＣのみに接続されたり、様々な配置が可能である。
【０００４】
ＲＲＣ再確立プロセスは、
１）端末がＥＵＴＲＡＮ（Ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）にＲＲＣ（Ｒａｄｉｏ  Ｒｅｓｏｕｒｃｅ  Ｃｏｎｔｒｏｌ）再接続確立要求を送信することと、
２）端末がＥＵＴＲＡＮから送信されたＲＲＣ再接続確立メッセージを受信することと、
３）端末がＥＵＴＲＡＮにＲＲＣ再接続確立完了メッセージを送信することと、を含む。
【０００５】
再確立は、現在のセルで何らかの失敗が発生したか又は切り替えに失敗したため、ＵＥがネットワークに再アクセスする必要があることで行われる操作である。
【０００６】
ＥＮ−ＤＣ（ＬＴＥとＮＲのデュアルコネクティビティ）アクセスプロセスにおいて、ＳＲＢ（Ｓｉｇｎａｌ  ｒａｄｉｏ  ｂｅａｒｅｒ）１／２がまずＬＴＥ  ＰＤＣＰ（Ｐａｃｋｅｔ  Ｄａｔａ  Ｃｏｎｖｅｒｇｅｎｃｅ  Ｐｒｏｔｏｃｏｌ）を用いることをデフォルトとし、次にｍｓｇ５の後に、ネットワーク及びＵＥがＮＲ  ＰＤＣＰを使用することに自動的に暗黙的に変換する。その後、安全アクティブ化コマンドの前に、ＳＲＢ２がＮＲ  ＰＤＣＰを使用するように再設定される。
【０００７】
ｅＬＴＥにおけるＲＲＣ再確立プロセスにおいて、ＳＲＢ１に対してどのようなＰＤＣＰタイプを用いるか、及びいつＰＤＣＰタイプを変換するかを議論も規定もしていない。同時に、ネットワーク側が１つのセルで２つのコアネットワークを同時にサポートする場合、再確立時に報告するＥＣＧＩをどのように特定するかもまだ定義されていない。
【発明の概要】
【発明が解決しようとする課題】
【０００８】
本開示の目的は、ｅＬＴＥにおけるＲＲＣ再確立プロセスにおいて、ＳＲＢ１に対してどのようなＰＤＣＰタイプを用いるかを討論も定義もしていないことを解決するために、ＲＲＣ接続再確立のベアラ設定方法、端末及びネットワーク機器を提供することを目的とする。
【０００９】
第１の態様では、本開示の実施例は、ネットワーク機器に適用されるＲＲＣ接続再確立のベアラ設定方法であって、
端末から送信されたＲＲＣ再確立完了メッセージを受信すると、前記端末がアクセスしようとするターゲットネットワークがサポートする、第１のネットワークをサポートする第１のタイプのＰＤＣＰ（Ｐａｃｋｅｔ  Ｄａｔａ  Ｃｏｎｖｅｒｇｅｎｃｅ  Ｐｒｏｔｏｃｏｌ）又は第２のネットワークをサポートする第２のタイプのＰＤＣＰを含むＰＤＣＰタイプを特定することと、
特定された前記ＰＤＣＰタイプに基づいて、ＲＲＣの後続プロセスにおけるベアラを再設定することと、を含む、ＲＲＣ接続再確立のベアラ設定方法を提供する。
【００１０】
第２の態様では、本開示の実施例は、端末に適用されるＲＲＣ接続再確立のベアラ設定方法であって、
ＲＲＣ再確立完了メッセージを送信するための、ＳＲＢ１に対してＰＤＣＰ設定を行う、第１のネットワークをサポートする第１のタイプのＰＤＣＰ又は第２のネットワークをサポートする第２のタイプのＰＤＣＰを含む、ＰＤＣＰタイプを特定することと、
前記ＰＤＣＰ設定を行うＰＤＣＰタイプに基づいて、ネットワーク機器にＲＲＣ再確立完了メッセージを送信することと、を含む、ＲＲＣ接続再確立のベアラ設定方法をさらに提供する。
【００１１】
第３の態様では、本開示の実施例は、
端末から送信されたＲＲＣ再確立完了メッセージを受信すると、前記端末がアクセスしようとするターゲットネットワークがサポートする、第１のネットワークをサポートする第１のタイプのＰＤＣＰ又は第２のネットワークをサポートする第２のタイプのＰＤＣＰを含むＰＤＣＰタイプを特定する第１の受信モジュールと、
特定された前記ＰＤＣＰタイプに基づいて、ＲＲＣの後続プロセスにおけるベアラを再設定する再設定モジュールと、を含む、ネットワーク機器をさらに提供する。
【００１２】
第４の態様では、本開示の実施例は、メモリと、プロセッサと、メモリに記憶され、かつプロセッサ上で実行でき、前記プロセッサにより実行されると、上記ＲＲＣ接続再確立のベアラ設定方法を実現するコンピュータプログラムと、を含むネットワーク機器をさらに提供する。
【００１３】
第５の態様では、本開示の実施例は、
ＲＲＣ再確立完了メッセージを送信するための、ＳＲＢ１に対してＰＤＣＰ設定を行う、第１のネットワークをサポートする第１のタイプのＰＤＣＰ又は第２のネットワークをサポートする第２のタイプのＰＤＣＰを含む、ＰＤＣＰタイプを特定する特定モジュールと、
前記ＰＤＣＰ設定を行うＰＤＣＰタイプに基づいて、ネットワーク機器にＲＲＣ再確立完了メッセージを送信する第１の送信モジュールと、を含む、端末をさらに提供する。
【００１４】
第６の態様では、本開示の実施例は、メモリと、プロセッサと、メモリに記憶され、かつプロセッサ上で実行でき、前記プロセッサにより実行されると、上記ＲＲＣ接続再確立のベアラ設定方法を実現するコンピュータプログラムと、を含む端末をさらに提供する。
【００１５】
第７の態様では、本開示の実施例は、プロセッサにより実行されると、上記ＲＲＣ接続再確立のベアラ設定方法を実現するコンピュータプログラムが記憶されているコンピュータ読み取り可能な記憶媒体をさらに提供する。
【００１６】
本開示の実施例は以下の有益な効果を有する。
【００１７】
本開示の実施例に係る上記技術手段によれば、端末から送信されたＲＲＣ再確立完了メッセージを受信すると、端末がアクセスしようとするターゲットネットワークがサポートするＰＤＣＰタイプを特定し、特定されたＰＤＣＰタイプに基づいて、ＲＲＣの後続プロセスにおけるベアラを再設定し、それによりｅＬＴＥのＲＲＣ再設定プロセスにおいてＳＲＢ１によって用いられるＰＤＣＰタイプを特定するという目的が実現される。
【００１８】
本開示の実施例に係る技術手段をより明確に説明するために、以下、本開示の実施例の説明に必要な図面を簡単に説明し、明らかに、以下に説明される図面は、本開示のいくつかの実施例にすぎず、当業者であれば、創造的な労働をしない前提で、これらの図面に基づいて他の図面を得ることができる。
【図面の簡単な説明】
【００１９】
【図１】本開示の実施例に係る適用可能なネットワークシステムの構成図である。
【図２】本開示の実施例に係るＲＲＣ接続再確立のベアラ設定方法の第１のフローチャートである。
【図３】本開示の実施例に係るＲＲＣ接続再確立のベアラ設定方法の第２のフローチャートである。
【図４】本開示の実施例に係る端末のブロック概略図である。
【図５】本開示の実施例に係る端末の第１の構成ブロック図である。
【図６】本開示の実施例に係る端末の第２の構成ブロック図である。
【図７】本開示の実施例に係るネットワーク機器のブロック概略図である。
【図８】本開示の実施例に係るネットワーク機器の構成ブロック図である。
【発明を実施するための形態】
【００２０】
以下、図面を参照しながら本開示の例示的な実施例をより詳細に説明する。図面に本開示の例示的な実施例が示されるが、本開示は様々な形態で実現することができ、ここに記載した実施例によって限定されないと理解すべきである。逆に、これらの実施例を提供するのは、本開示をより徹底的に理解し、本開示の範囲を完全に当業者に伝えるようにするためである。
【００２１】
本願の明細書及び特許請求の範囲における用語「第１」、「第２」などは、類似した対象を区別するためのものであり、必ずしも特定の順序又は優先順位を説明するためのものではない。ここで説明した本願の実施例が、例えばここでの図示説明又は説明以外の順序でも実施できるように、このように使用されたデータは、適宜入れ替えてもよいと理解すべきである。また、用語「含む」、「備える」及びそれらのいかなる変形は、非排他的な包含をカバーすることを意図し、例えば、一連のステップ又はユニットを含む過程、方法、システム、製品又は設備は、明確に挙げたステップ又はユニットに限定されず、明確に挙げていないか又はこれらの過程、方法、システム、製品又は機器に固有の他のステップ又はユニットを含んでもよい。明細書及び特許請求の範囲における「及び／又は」は、接続対象の少なくとも１つを表す。
【００２２】
以下の説明は、例を提供するものであり、特許請求の範囲、適用性又は設定を限定するものではない。本開示の精神及び範囲から逸脱することなく、検討された要素の機能及び配置を変更してもよい。様々な例では、様々な手順又は構成部品を適宜に省略、置換又は追加してもよい。例えば、説明した方法を、説明した順序と異なる順序で実行してもよく、また、様々なステップを追加、省略するか又は組み合わせてもよい。また、いくつかの例を参照して説明した特徴は、他の例で組み合わせてもよい。
【００２３】
図１を参照すると、図１は、本開示の実施例に係る適用可能なネットワークシステムの構成図であり、図１に示すように、ユーザ端末１１及び基地局１２を含み、ユーザ端末１１は、ＵＥ（Ｕｓｅｒ  Ｅｑｕｉｐｍｅｎｔ）であってよく、例えば、携帯電話、タブレットパーソナルコンピュータ（Ｔａｂｌｅｔ  Ｐｅｒｓｏｎａｌ  Ｃｏｍｐｕｔｅｒ）、ラップトップパソコン（Ｌａｐｔｏｐ  Ｃｏｍｐｕｔｅｒ）、パーソナルディジタルアシスタント（ｐｅｒｓｏｎａｌ  ｄｉｇｉｔａｌ  ａｓｓｉｓｔａｎｔ、ＰＤＡ）、ＭＩＤ（Ｍｏｂｉｌｅ  Ｉｎｔｅｒｎｅｔ  Ｄｅｖｉｃｅ、）又はウェアラブルデバイス（Ｗｅａｒａｂｌｅ  Ｄｅｖｉｃｅ）などの端末側機器であってよく、なお、本開示の実施例では、ユーザ端末１１の具体的なタイプを限定しない。上記基地局１２は、５Ｇ及びその以降のバージョンの基地局（例えば、ｇＮＢ、５Ｇ  ＮＲ  ＮＢ）又は他の通信システムにおける基地局であってよく、又はノードＢ、発展型ノードＢ、ＴＲＰ（ｔｒａｎｓｍｉｔｔｉｎｇ  ｒｅｃｅｉｖｉｎｇ  ｐｏｉｎｔ）又は前記分野における他の用語と呼ばれ、同様の技術的効果が達成される限り、前記基地局は特定の技術用語に限定されず、なお、本開示の実施例では、５Ｇ基地局のみを例とするが、基地局１２の具体的なタイプを限定しない。
【００２４】
図２は、本開示の実施例に係るランダムアクセス方法のフローチャートであり、図２に示すように、本開示の実施例は、以下のステップ２０１〜ステップ２０２を含む、ネットワーク機器に適用されるＲＲＣ接続再確立のベアラ設定方法を提供する。
【００２５】
ステップ２０１では、端末から送信されたＲＲＣ再確立完了メッセージを受信すると、端末がアクセスしようとするターゲットネットワークがサポートする、第１のネットワークをサポートする第１のタイプのＰＤＣＰ又は第２のネットワークをサポートする第２のタイプのＰＤＣＰを含むＰＤＣＰタイプを特定する。
【００２６】
上記第１のネットワークは、具体的には、ＬＴＥネットワークであってよく、第２のネットワークは、ＮＲネットワークであってよい。本開示の実施例に係るＲＲＣ接続再確立は、ｅＬＴＥネットワークからＬＴＥ又はＮＲ（ｅＬＴＥ）ネットワークへの再確立を含む。
【００２７】
本開示の具体的な実施例では、端末は、まずＲＲＣ再確立完了メッセージの送信のための、ＳＲＢ１に対してＰＤＣＰ設定を行うＰＤＣＰタイプを特定し、端末は、前記ＰＤＣＰ設定を行うＰＤＣＰタイプに基づいて前記ネットワーク機器にＲＲＣ再確立完了メッセージを送信し、ネットワーク機器は、端末から送信されたＲＲＣ再確立完了メッセージを受信すると、前記端末がアクセスしようとするターゲットネットワークがサポートするＰＤＣＰタイプを特定する。
【００２８】
ステップ２０２では、特定されたＰＤＣＰタイプに基づいて、ＲＲＣの後続プロセスにおけるベアラを再設定する。
【００２９】
ここで、ＲＲＣ再確立プロセスにおけるベアラは、ＳＲＢ１、ＳＲＢ２及びＤＲＢ（Ｄａｔａ  Ｒａｄｉｏ  Ｂｅａｒｅｒ）のうちの少なくとも１種を含む。
【００３０】
本開示の実施例に係るＲＲＣ接続再確立のベアラ設定方法によれば、端末から送信されたＲＲＣ再確立完了メッセージを受信すると、端末がアクセスしようとするターゲットネットワークがサポートするＰＤＣＰタイプを特定し、特定されたＰＤＣＰタイプに基づいて、ＲＲＣの後続プロセスにおけるベアラを再設定し、それによりｅＬＴＥ又はＮＲセルにある端末がＲＲＣ接続再確立を行う際に、ＲＲＣ再確立プロセスにおいてベアラに用いられるＰＤＣＰを特定することができ、ＲＲＣ再確立の成功を保証することができる。
【００３１】
さらに、上記ステップ２０２は、
端末が第１のタイプのＰＤＣＰを用いてＳＲＢ１を設定することを検出し、かつ端末がアクセスしようとするターゲットネットワークがサポートするＰＤＣＰタイプが第２のタイプのＰＤＣＰであると特定した場合、第２のタイプのＰＤＣＰを用いてＲＲＣ再確立プロセスにおける全てのベアラを再設定すること、
又は、端末が第１のタイプのＰＤＣＰを用いてＳＲＢ１を設定することを検出し、かつ端末がアクセスしようとするターゲットネットワークがサポートするＰＤＣＰタイプが第２のタイプのＰＤＣＰではないと特定した場合、第１のタイプのＰＤＣＰを用いてＲＲＣ再確立プロセスにおける全てのベアラを再設定すること、を含んでよい。
【００３２】
ここで、ＵＥがまずＳＲＢ１をＬＴＥ  ＰＤＣＰで設定していれば、アクセスしようとするターゲットネットワークがＮＲ  ＰＤＣＰをサポートする場合、後続で任意のベアラ（ＳＲＢ１、ＳＲＢ２及びＤＲＢを含む）の再設定に対してＮＲ  ＰＤＣＰを用いることができ（即ち、第２のタイプのＰＤＣＰを用いて設定する）、
アクセスしようとするターゲットネットワークがＮＲ  ＰＤＣＰをサポートしない場合、ネットワークは、ｆｕｌｌ  ｃｏｎｆｉｇｕｒａｔｉｏｎ（全設定）の方式で全てのベアラをＬＴＥ  ＰＤＣＰ（即ち第１のタイプのＰＤＣＰ）に変更してよい。
【００３３】
本開示の実施例では、ｅＮｏｄｅＢとＵＥとの間の通信チャネルは、ＳＲＢ及びＤＲＢという２種を含む。ＤＲＢ（Ｄａｔａ  Ｒａｄｉｏ  Ｂｅａｒｅｒ）は、データ伝送に用いられる。ＤＲＢの確立は、再設定メッセージ（ＲＲＣ  Ｃｏｎｎｅｃｔｉｏｎ  Ｒｅｃｏｎｆｉｇｕｒａｔｉｏｎ）により完了される。
【００３４】
ここで、ＳＲＢ（Ｓｉｇｎａｌｉｎｇ  Ｒａｄｉｏ  Ｂｅａｒｅｒ）は、シグナリング伝送を制御し、ＳＲＢ０、ＳＲＢ１及びＳＲＢ２という３種に分けられる。ＳＲＢ０は、確立する必要がなく、共通制御チャネルＣＣＣＨにマッピングされたシグナリングを伝送し、６つのＲＲＣメッセージがあり、ＲＲＣ接続確立を行う目的は、ＳＲＢ１を確立し、その後にＳＲＢ１により他のＲＲＣメッセージを伝送することである。
【００３５】
ここで、第２のタイプのＰＤＣＰを用いてＲＲＣ再確立プロセスにおける全てのベアラを再設定することは、再設定シグナリングにより、第２のタイプのＰＤＣＰを用いてＲＲＣ再確立プロセスにおける全てのベアラを再設定し、
又は、ＲＲＣ再確立プロセスにおいてプリセットメッセージが伝送されたか又は所定の条件が満たされた後に、第２のタイプのＰＤＣＰを用いてＲＲＣ再確立プロセスにおける全てのベアラを再設定すること、を含んでよい。
【００３６】
上記プリセットメッセージは、ＲＲＣ再確立完了メッセージを含み、例えば、ＲＲＣ再確立完了メッセージが伝送された後、ネットワーク及びＵＥが暗黙的にＮＲ  ＰＤＣＰに変換される。所定の条件は、予め約束又は定義されたものであってよい。
【００３７】
これに基づいて、上記のように第１のタイプのＰＤＣＰを用いてＲＲＣ再確立プロセスにおける全てのベアラを再設定した後に、ＱｏＳフローからＥＰＳベアラへのマッピングを行うことと、確立されたＳＤＡＰエンティティを削除することと、ＮＲコアネットワークの暗号鍵からＬＴＥコアネットワーク暗号鍵への変換をマッピングにより行い、ＬＴＥ無線インタフェースによって用いられる暗号鍵を得ることと、をさらに含んでよい。それによりネットワーク機器（例えば基地局）は、ＮＲシステムからＬＴＥシステムに変換することができる。
【００３８】
ここで、ＵＥは、ＳＲＢ１に対してＬＴＥ  ＰＤＣＰの設定を用い、ＵＥは、既存のｋｅｙ及びアルゴリズムを用いてＭＡＣ−Ｉの計算を完了し、ＵＥ及びネットワーク機器の内部それぞれではＱｏＳフロー及びＥＰＳベアラＩＤのマッピングを完了し、ＳＤＡＰエンティティを削除し、ＵＥ及びネットワーク機器の内部それぞれでは、コアネットワーク（ＮＲ  ５ＧＣ）暗号鍵ｋｅｙから別のコアネットワーク（ＬＴＥ  ＥＰＣ）暗号鍵ｋｅｙへの変換をマッピングにより完了し、かつ無線インタフェースによって用いられる暗号鍵を導出し、それによりＬＴＥ  ＰＤＣＰ設定を行った後、新たな設定に基づいて信号の処理を行うことができる。
【００３９】
さらに、上記ステップ２０２は、
端末が第２のタイプのＰＤＣＰを用いてＳＲＢ１を設定することを検出し、かつ端末がアクセスしようとするターゲットネットワークがサポートするＰＤＣＰタイプが第２のタイプのＰＤＣＰであると特定した場合、ＲＲＣ再確立プロセスにおけるベアラに対して元の設定を保持するか、又は第１のタイプのＰＤＣＰを用いてＲＲＣ再確立プロセスにおける全てのベアラを再設定し、
又は、端末が第２のタイプのＰＤＣＰを用いてＳＲＢ１を設定することを検出し、かつ端末がアクセスしようとするターゲットネットワークがサポートするＰＤＣＰタイプが第２のタイプのＰＤＣＰではないと特定したが、ＲＲＣ再確立完了メッセージを解析することができる場合、第１のタイプのＰＤＣＰを用いてＲＲＣ再確立プロセスにおける全てのベアラを再設定し、
又は、端末が第２のタイプのＰＤＣＰを用いてＳＲＢ１を設定することを検出し、かつ端末がアクセスしようとするターゲットネットワークがサポートするＰＤＣＰタイプが第２のタイプのＰＤＣＰではないと特定したが、ＲＲＣ再確立完了メッセージを解析することができない場合、前記ＲＲＣ再確立完了メッセージの拒否を送信すること、を含む。
【００４０】
ここで、ＵＥは、再確立の際にまずＮＲ  ＰＤＣＰ設定を用い、ターゲットアクセスネットワークがＮＲ  ＰＤＣＰをサポートすれば、それまでに保持されていたベアラがいずれもサポートされるか又はＬＴＥ  ＰＤＣＰを用いるように再設定されてよく、またターゲットアクセスネットワークがＮＲ  ＰＤＣＰをサポートしなく、ネットワークが該ＲＲＣ再確立完了メッセージを識別すれば、ネットワークは、全設定（ｆｕｌｌ  ｃｏｎｆｉｇｕｒａｔｉｏｎ）の方式で全てのベアラをＬＴＥ  ＰＤＣＰに変換してよく、ターゲットアクセスネットワークがＮＲ  ＰＤＣＰをサポートせず、ネットワーク機器が該ＲＲＣ再確立完了メッセージを識別しなければ、該メッセージを拒否してよく、後続のフローを行うことができない。
【００４１】
これに基づいて、ＵＥは、再設定の際にＮＲ  ＰＤＣＰ設定を用い、ＵＥがＮＲ  ＲＲＣ再確立要求メッセージを用いてＲＲＣ再確立要求を開始することを許可するか又はＵＥがＬＴＥ  ＲＲＣ再確立要求メッセージを用いてＲＲＣ再確立要求を開始することを許可し、その際に暗号鍵（ｋｅｙ）、ＳＤＡＰ、ＰＤＣＰ設定が再利用可能であり、ＲＬＣは対応する規格のデフォルト設定を用い、かつ無線インタフェースリソース設定シグナリングにより該ＵＥのＲＬＣ、ＭＡＣ、ＰＨＹ層設定を再設定してよい。
【００４２】
さらに、端末は、ｅＬＴＥセルにおいて再確立する場合、失敗報告ｆａｉｌｕｒｅ  ｒｅｐｏｒｔに、主要ＰＬＭＮを含むＣＧＩ情報を報告する必要がある。
【００４３】
これに基づいて、本開示の実施例に係るＲＲＣ接続再確立のベアラ設定方法は、
端末から送信された、主要ＰＬＭＮを含むＣＧＩ情報を付帯している無線リンク測定失敗報告を受信することをさらに含む。
【００４４】
ここで、上記ＣＧＩ情報は、
ＬＴＥコアネットワークのＰＬＭＮリスト及びＮＲコアネットワークのＰＬＭＮリスト、又は
ＮＲコアネットワークのＰＬＭＮリスト、又は
ＬＴＥコアネットワークのＰＬＭＮリストを含む。
【００４５】
ここで、主要ＰＬＭＮは、ＬＴＥコアネットワークのＰＬＭＮリスト中の１番目のＰＬＭＮであり、又は
主要ＰＬＭＮは、ＮＲコアネットワークのＰＬＭＮリスト中の１番目のＰＬＭＮであり、又は
ＬＴＥコアネットワークのＰＬＭＮリスト及びＮＲコアネットワークのＰＬＭＮリストが同時に存在する場合、主要ＰＬＭＮはＬＴＥコアネットワークのＰＬＭＮリスト中の１番目のＰＬＭＮであり、又は
ＬＴＥコアネットワークのＰＬＭＮリスト及びＮＲコアネットワークのＰＬＭＮリストが同時に存在する場合、主要ＰＬＭＮはＮＲコアネットワークのＰＬＭＮリスト中の１番目のＰＬＭＮであり、又は
ＬＴＥコアネットワークのＰＬＭＮリスト及びＮＲコアネットワークのＰＬＭＮリストが同時に存在し、かつＬＴＥコアネットワークのＰＬＭＮリストが無効値である場合、主要ＰＬＭＮはＮＲコアネットワークのＰＬＭＮリスト中の１番目のＰＬＭＮであり、又は
端末がＬＴＥコアネットワークの非アクセス層にある場合、主要ＰＬＭＮはＬＴＥコアネットワークのＰＬＭＮリスト中の１番目のＰＬＭＮであり、又は
端末がＮＲコアネットワークの非アクセス層にある場合、主要ＰＬＭＮはＮＲコアネットワークのＰＬＭＮリスト中の１番目のＰＬＭＮである。
【００４６】
本開示の具体的な実施例では、再確立が発生する前に、端末は、所在するセルのタイプに応じて対応する主要ＰＬＭＮを選択して報告してよく、例えば、ｅＬＴＥは、５ＧＣリスト中の１番目のＰＬＭＮを報告し、ＬＴＥは、ＥＰＣリスト中の１番目のＰＬＭＮを報告する。
【００４７】
本開示の実施例に係るＲＲＣ接続再確立のベアラ設定方法によれば、端末から送信されたＲＲＣ再確立完了メッセージを受信すると、端末がアクセスしようとするターゲットネットワークがサポートするＰＤＣＰタイプを特定し、特定されたＰＤＣＰタイプに基づいて、ＲＲＣの再確立プロセスにおけるベアラを設定し、それによりｅＬＴＥ又はＮＲセルにある端末がＲＲＣ接続再確立を行う際に、ＲＲＣ再確立プロセスにおいてベアラによって用いられるＰＤＣＰを特定することができ、ＲＲＣ再確立の成功を保証することができる。
【００４８】
図３に示すように、本開示の実施例は、以下のステップ３０１〜ステップ３０２を含む、端末に適用されるＲＲＣ接続再確立のベアラ設定方法をさらに提供する。
【００４９】
ステップ３０１では、ＲＲＣ再確立完了メッセージを送信ための、ＳＲＢ１に対してＰＤＣＰ設定を行う、第１のネットワークをサポートする第１のタイプのＰＤＣＰ又は第２のネットワークをサポートする第２のタイプのＰＤＣＰを含む、ＰＤＣＰタイプを特定する。
【００５０】
上記第１のネットワークは、具体的には、ＬＴＥネットワークであってよく、第２のネットワークは、ＮＲ（又はｅＬＴＥ）ネットワークであってよい。本開示の実施例に係るＲＲＣ接続再確立は、ｅＬＴＥネットワークからＬＴＥ又はＮＲ（又はｅＬＴＥ）ネットワークへの再確立を含む。前記用いられるＰＤＣＰタイプは、ＵＥが規格に応じて選択されたものであってもよく、ネットワークが予め端末に設定されたものであってもよい。
【００５１】
ステップ３０２では、前記ＰＤＣＰ設定を行うＰＤＣＰタイプに基づいて、前記ネットワーク機器にＲＲＣ再確立完了メッセージを送信する。
【００５２】
本開示の実施例では、端末は、ＲＲＣ再確立完了メッセージを送信するための、ＳＲＢ１に対してＰＤＣＰ設定を行うＰＤＣＰタイプを特定し、前記ＰＤＣＰ設定を行うＰＤＣＰタイプに基づいて前記ネットワーク機器にＲＲＣ再確立完了メッセージを送信し、それにより端末はＲＲＣ再確立プロセスにおいてＳＲＢ１によって用いられるＰＤＣＰタイプを特定することができる。
【００５３】
さらに、上記ステップ３０１は、
ＲＲＣ再確立完了メッセージを送信するための、ＳＲＢ１に対してＰＤＣＰ設定を行うＰＤＣＰタイプが第１のタイプのＰＤＣＰであると特定することを含む。
【００５４】
さらに、上記ステップ３０１では、ＲＲＣ再確立完了メッセージを送信するための、ＳＲＢ１に対してＰＤＣＰ設定を行うＰＤＣＰタイプを特定するステップは、
予め定義された方式に基づいて、又はターゲットアクセスネットワークがサポートするＰＤＣＰタイプが第２のタイプのＰＤＣＰではないか又はアクセスがタイムアウトすることを検出した場合、ＲＲＣ再確立完了メッセージを送信するための、ＳＲＢ１に対してＰＤＣＰ設定を行うＰＤＣＰタイプが第１のタイプのＰＤＣＰにフォールバックすると特定することを含む。
【００５５】
ＵＥは、再確立の際にまずＮＲ  ＰＤＣＰ設定を用い、ＵＥが続いてターゲットアクセスネットワークがＮＲ  ＰＤＣＰをサポートしないこと（例えば、タイムアウトしてアクセスが成功しないなど）を検出した場合、ＵＥは、ＬＴＥ  ＰＤＣＰに自動的にフォールバック（ｆａｌｌｂａｃｋ）して、ＳＲＢ１を設定して再確立操作を行う。
【００５６】
これに基づいて、前記ネットワーク機器にＲＲＣ再確立完了メッセージを送信した後に、
ＱｏＳフローからＥＰＳベアラへのマッピングを行うことと、確立されたＳＤＡＰエンティティを削除することと、ＮＲコアネットワークの暗号鍵からＬＴＥコアネットワークの暗号鍵への変換を、マッピングにより行い、ＬＴＥ無線インタフェースによって用いられる暗号鍵を得ることと、をさらに含む。
【００５７】
ここで、ＵＥは、ＳＲＢ１に対してＬＴＥ  ＰＤＣＰの設定を用い、ＵＥは、既存の暗号鍵及びアルゴリズムを用いてＭＡＣ−Ｉの計算を完了し、ＵＥ及びネットワーク機器の内部ではＱｏＳフロー及びＥＰＳベアラＩＤのマッピングを完了し、ＳＤＡＰエンティティを削除し、ＵＥ及びネットワーク機器の内部それぞれでは、コアネットワーク（例えばＮＲ  ５ＧＣ）暗号鍵ｋｅｙから別のコアネットワーク（例えばＬＴＥ  ＥＰＣ）暗号鍵ｋｅｙへの変換を、マッピングにより完了し、かつ無線インタフェースによって用いられる暗号鍵を導出する。
【００５８】
さらに、上記ステップ３０１では、ＲＲＣ再確立完了メッセージを送信するための、ＳＲＢ１に対してＰＤＣＰ設定を行うＰＤＣＰタイプを特定するステップは、
予め定義された方式に基づいて、又はアクセスされたターゲットネットワークがサポートするＰＤＣＰタイプが第２のタイプのＰＤＣＰであることを検出した場合、ＲＲＣ再確立完了メッセージを送信するための、ＳＲＢ１に対してＰＤＣＰ設定を行うＰＤＣＰタイプが第２のタイプのＰＤＣＰであると特定することを含む。
【００５９】
ここで、ＵＥは、再確立の際にＮＲ  ＰＤＣＰ設定を用いなければならず、アクセスされるべきセルが必ずｅＬＴＥをサポートすることをデフォルトし、即ち、ＣＮ（ＥＰＣ及びＮＧＣ）を渡る再確立は許可されていない。ネットワーク側は、該ＵＥのコンテキスト情報を事前に知り、再確立に失敗すると、セル選択をやり直す。
【００６０】
さらに、前記ネットワーク機器にＲＲＣ再確立完了メッセージを送信する前に、
再確立の対象となるネットワーク規格に基づいて、ＮＲ  ＲＲＣ再確立要求メッセージを用いてＲＲＣ再確立要求を開始し、又は
ＬＴＥ  ＲＲＣ再確立要求メッセージを用いてＲＲＣ再確立要求を開始することをさらに含んでよい。
【００６１】
さらに、再確立の対象となるネットワーク規格に基づいて、ＮＲ  ＲＲＣ再確立要求メッセージを用いてＲＲＣ再確立要求を開始し、又はＬＴＥ  ＲＲＣ再確立要求メッセージを用いてＲＲＣ再確立完了を開始した後に、
ＲＬＣが対応する規格のデフォルト設定を用い、かつ無線インタフェースリソース設定シグナリングにより端末のＲＬＣ、ＭＡＣ及びＰＨＹの設定を再設定することをさらに含んでよい。
【００６２】
ＵＥは、再設定の際にＮＲ  ＰＤＣＰ設定を用い、ＵＥがＮＲ  ＲＲＣ再確立要求メッセージを用いてＲＲＣ再確立要求を開始することを許可するか又はＵＥがＬＴＥ  ＲＲＣ再確立要求メッセージを用いてＲＲＣ再確立要求を開始することを許可し、その際にｋｅｙ、ＳＤＡＰ、ＰＤＣＰ設定が再利用可能であり、ＲＬＣは対応する規格のデフォルト設定を用い、かつ無線インタフェースリソース設定シグナリングにより該ＵＥのＲＬＣ、ＭＡＣ、ＰＨＹ層設定を再設定してよい。
【００６３】
さらに、該ベアラ設定方法によれば、ＲＲＣ再確立要求を開始する前に、
ネットワーク機器に、主要ＰＬＭＮを含むＣＧＩ情報を付帯している無線リンク失敗報告を送信することをさらに含む。
【００６４】
ここで、前記ＣＧＩ情報は、
ＬＴＥコアネットワークのＰＬＭＮリスト及びＮＲコアネットワークのＰＬＭＮリスト、又は
ＮＲコアネットワークのＰＬＭＮリスト、又は
ＬＴＥコアネットワークのＰＬＭＮリストを含む。
【００６５】
上記主要ＰＬＭＮは、ＬＴＥコアネットワークのＰＬＭＮリスト中の１番目のＰＬＭＮであり、又は
主要ＰＬＭＮは、ＮＲコアネットワークのＰＬＭＮリスト中の１番目のＰＬＭＮであり、又は
ＬＴＥコアネットワークのＰＬＭＮリスト及びＮＲコアネットワークのＰＬＭＮリストが同時に存在する場合、主要ＰＬＭＮはＬＴＥコアネットワークのＰＬＭＮリスト中の１番目のＰＬＭＮであり、又は
ＬＴＥコアネットワークのＰＬＭＮリスト及びＮＲコアネットワークのＰＬＭＮリストが同時に存在する場合、主要ＰＬＭＮはＮＲコアネットワークのＰＬＭＮリスト中の１番目のＰＬＭＮであり、又は
ＬＴＥコアネットワークのＰＬＭＮリスト及びＮＲコアネットワークのＰＬＭＮリストが同時に存在し、かつＬＴＥコアネットワークのＰＬＭＮリストが無効値である場合、主要ＰＬＭＮはＮＲコアネットワークのＰＬＭＮリスト中の１番目のＰＬＭＮであり、又は
端末がＬＴＥコアネットワークの非アクセス層にある場合、主要ＰＬＭＮはＬＴＥコアネットワークのＰＬＭＮリスト中の１番目のＰＬＭＮであり、又は
端末がＮＲコアネットワークの非アクセス層にある場合、主要ＰＬＭＮはＮＲコアネットワークのＰＬＭＮリスト中の１番目のＰＬＭＮである。
【００６６】
本開示の実施例に係るＲＲＣ接続再確立のベアラ設定方法では、端末は、ＲＲＣ再確立完了メッセージを送信するための、ＳＲＢ１に対してＰＤＣＰ設定を行うＰＤＣＰタイプを特定し、前記ＰＤＣＰ設定を行うＰＤＣＰタイプに基づいて前記ネットワーク機器にＲＲＣ再確立完了メッセージを送信し、それにより端末はＲＲＣ再確立プロセスにおいてＳＲＢ１によって用いられるＰＤＣＰタイプを特定することができる。
【００６７】
図４は、本開示の実施例に係る端末のブロック概略図であり、図４に示すように、本開示の実施例は、
ＲＲＣ再確立完了メッセージを送信するための、ＳＲＢ１に対してＰＤＣＰ設定を行う、第１のネットワークをサポートする第１のタイプのＰＤＣＰ又は第２のネットワークをサポートする第２のタイプのＰＤＣＰを含む、ＰＤＣＰタイプを特定する特定モジュール４０１と、
前記ＰＤＣＰ設定を行うＰＤＣＰタイプに基づいて、前記ネットワーク機器にＲＲＣ再確立完了メッセージを送信する第１の送信モジュール４０２と、を含む、端末４００をさらに提供する。
【００６８】
本開示の実施例に係る端末について、前記特定モジュールは、ＲＲＣ再確立完了メッセージを送信するための、ＳＲＢ１に対してＰＤＣＰ設定を行うＰＤＣＰタイプが第１のタイプのＰＤＣＰであると特定する。
【００６９】
本開示の実施例に係る端末について、前記特定モジュールは、予め定義された方式に基づいて、又はターゲットアクセスネットワークがサポートするＰＤＣＰタイプが第２のタイプのＰＤＣＰではないか又は端末のアクセスがタイムアウトすることを検出した場合、ＲＲＣ再確立完了メッセージを送信するための、ＳＲＢ１に対してＰＤＣＰ設定を行うＰＤＣＰタイプが第１のタイプのＰＤＣＰにフォールバックすると特定する。
【００７０】
本開示の実施例に係る端末は、
ＱｏＳフローからＥＰＳベアラへのマッピングを行う第２のマッピングモジュールと、
確立されたＳＤＡＰエンティティを削除する第２の削除モジュールと、
ＮＲコアネットワークの暗号鍵からＬＴＥコアネットワーク暗号鍵への変換をマッピングにより行い、ＬＴＥ無線インタフェースによって用いられる暗号鍵を得る第２の変換モジュールと、をさらに含む。
【００７１】
本開示の実施例に係る端末について、前記特定モジュールは、予め定義された方式に基づいて、又はアクセスされたターゲットネットワークがサポートするＰＤＣＰタイプが第２のタイプのＰＤＣＰであることを検出した場合、ＲＲＣ再確立完了メッセージを送信するための、ＳＲＢ１に対してＰＤＣＰ設定を行うＰＤＣＰタイプが第２のタイプのＰＤＣＰであると特定する。
【００７２】
本開示の実施例に係る端末について、前記第１の送信モジュールは、再確立の対象となるネットワーク規格に基づいて、ＮＲ  ＲＲＣ再確立要求メッセージを用いてＲＲＣ再確立要求を開始し、又はＬＴＥ  ＲＲＣ再確立要求メッセージを用いてＲＲＣ再確立要求を開始する。
【００７３】
本開示の実施例に係る端末は、
ＲＬＣが、対応する規格のデフォルト設定を用い、かつ無線インタフェースリソース設定シグナリングにより、端末のＲＬＣ、ＭＡＣ及びＰＨＹを再設定するように制御する設定モジュールをさらに含む。
【００７４】
本開示の実施例に係る端末は、
ネットワーク機器に、主要ＰＬＭＮを含むＣＧＩ情報を付帯している無線リンク失敗報告を送信する第２の送信モジュールをさらに含む。
【００７５】
本開示の実施例に係る端末によって前記ＣＧＩ情報を送信する方式が、
ＬＴＥコアネットワークのＰＬＭＮリスト及びＮＲコアネットワークのＰＬＭＮリストを送信し、又は
ＮＲコアネットワークのＰＬＭＮリストを送信し、又は
ＬＴＥコアネットワークのＰＬＭＮリストを送信することを含む。
【００７６】
本開示の実施例に係る端末について、ここで、主要ＰＬＭＮは、ＬＴＥコアネットワークのＰＬＭＮリスト中の１番目のＰＬＭＮであり、又は
主要ＰＬＭＮは、ＮＲコアネットワークのＰＬＭＮリスト中の１番目のＰＬＭＮであり、又は
ＬＴＥコアネットワークのＰＬＭＮリスト及びＮＲコアネットワークのＰＬＭＮリストが同時に存在する場合、主要ＰＬＭＮはＬＴＥコアネットワークのＰＬＭＮリスト中の１番目のＰＬＭＮであり、又は
ＬＴＥコアネットワークのＰＬＭＮリスト及びＮＲコアネットワークのＰＬＭＮリストが同時に存在する場合、主要ＰＬＭＮはＮＲコアネットワークのＰＬＭＮリスト中の１番目のＰＬＭＮであり、又は
ＬＴＥコアネットワークのＰＬＭＮリスト及びＮＲコアネットワークのＰＬＭＮリストが同時に存在し、かつＬＴＥコアネットワークのＰＬＭＮリストが無効値である場合、主要ＰＬＭＮはＮＲコアネットワークのＰＬＭＮリスト中の１番目のＰＬＭＮであり、又は
端末がＬＴＥコアネットワークの非アクセス層にある場合、主要ＰＬＭＮはＬＴＥコアネットワークのＰＬＭＮリスト中の１番目のＰＬＭＮであり、又は
端末がＮＲコアネットワークの非アクセス層にある場合、主要ＰＬＭＮはＮＲコアネットワークのＰＬＭＮリスト中の１番目のＰＬＭＮである。
【００７７】
本開示の実施例は、メモリと、プロセッサと、メモリに記憶され、かつプロセッサ上で実行でき、前記プロセッサにより実行されると、上記端末に適用されるＲＲＣ接続再確立のベアラ設定方法の実施例における各プロセスを実現し、かつ同じ技術的効果を達成することができるコンピュータプログラムと、を含む端末をさらに提供し、重複を避けるために、ここでは説明を省略する。
【００７８】
本開示の実施例は、プロセッサにより実行されると、上記端末に適用されるＲＲＣ接続再確立のベアラ設定方法の実施例における各プロセスを実現し、かつ同じ技術的効果を達成することができるコンピュータプログラムが記憶されているコンピュータ読み取り可能な記憶媒体をさらに提供し、重複を避けるために、ここでは説明を省略する。前記コンピュータ読み取り可能な記憶媒体は、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、ディスク又は光ディスクなどであってよい。
【００７９】
上記目的を達成するために、図５に示すように、本開示の実施例は、メモリ５２０と、プロセッサ５００と、トランシーバ５１０と、ユーザインタフェース５３０と、バスインタフェースと、メモリ５２０上に記憶され、かつプロセッサ５００上で動作可能なコンピュータプログラムとを含む端末をさらに提供し、前記プロセッサ４００は、メモリ５２０におけるプログラムを読み取り、
ＲＲＣ再確立完了メッセージを送信するための、ＳＲＢ１に対してＰＤＣＰ設定を行う、第１のネットワークをサポートする第１のタイプのＰＤＣＰ又は第２のネットワークをサポートする第２のタイプのＰＤＣＰを含む、ＰＤＣＰタイプを特定するプロセスと、
前記ＰＤＣＰ設定を行うＰＤＣＰタイプに基づいて、前記ネットワーク機器にＲＲＣ再確立完了メッセージを送信するプロセスと、を実行する。
【００８０】
ここで、図５において、バスアーキテクチャは、任意の数の相互接続されたバス及びブリッジを含んでよく、具体的には、プロセッサ５００に代表される１つ以上のプロセッサ及びメモリ５２０に代表されるメモリの様々な回路によって一体に接続されている。バスアーキテクチャは、さらに、周辺機器、電圧レギュレータ及びパワー管理回路などの様々なその他の回路を一体に接続してよく、これらは、いずれも本分野において既知のものであるため、本明細書においてさらに説明しない。バスインタフェースは、インタフェースを提供する。トランシーバ５１０は、複数の部品であってよく、即ち送信機及び受信機を含み、伝送媒体上で様々な他の装置と通信するためのユニットを提供する。異なるユーザ機器に応じて、ユーザインタフェース５３０は、必要な機器を外接と内接することができるインタフェースであってよく、接続された機器は、キーパッド、ディスプレイ、スピーカ、マイクロホン、ジョイスティックなどを含むが、これらに限定されない。
【００８１】
プロセッサ５００は、バスアーキテクチャ及び一般的な処理の管理を担当し、メモリ５２０は、プロセッサ５００が操作実行時に用いるデータを記憶してよい。
【００８２】
選択的に、前記プロセッサ５００は、メモリ５２０におけるプログラムを読み取り、
ＲＲＣ再確立完了メッセージを送信するための、ＳＲＢ１に対してＰＤＣＰ設定を行うＰＤＣＰタイプが第１のタイプのＰＤＣＰであると特定することをさらに実行する。
【００８３】
選択的に、前記プロセッサ５００は、メモリ５２０におけるプログラムを読み取り、
予め定義された方式に基づいて、又はターゲットアクセスネットワークがサポートするＰＤＣＰタイプが第２のタイプのＰＤＣＰではないか又は端末のアクセスがタイムアウトすることを検出した場合、ＲＲＣ再確立完了メッセージを送信するための、ＳＲＢ１に対してＰＤＣＰ設定を行うＰＤＣＰタイプが第１のタイプのＰＤＣＰにフォールバックすると特定することをさらに実行する。
【００８４】
選択的に、前記プロセッサ５００は、メモリ５２０におけるプログラムを読み取り、
ＱｏＳフローからＥＰＳベアラへのマッピングを行うことと、
確立されたＳＤＡＰエンティティを削除することと、
ＮＲコアネットワークの暗号鍵からＬＴＥコアネットワーク暗号鍵への変換をマッピングによって行い、ＬＴＥ無線インタフェースによって用いられる暗号鍵を得ることと、をさらに実行する。
【００８５】
選択的に、前記プロセッサ５００は、メモリ５２０におけるプログラムを読み取り、
予め定義された方式に基づいて、又はアクセスされたターゲットネットワークがサポートするＰＤＣＰタイプが第２のタイプのＰＤＣＰであることを検出した場合、ＲＲＣ再確立完了メッセージを送信するための、ＳＲＢ１に対してＰＤＣＰ設定を行うＰＤＣＰタイプが第２のタイプのＰＤＣＰであると特定することをさらに実行する。
【００８６】
選択的に、前記プロセッサ５００は、メモリ５２０におけるプログラムを読み取り、
再確立の対象となるネットワーク規格に基づいて、ＮＲ  ＲＲＣ再確立要求メッセージを用いてＲＲＣ再確立要求を開始し、又は
ＬＴＥ  ＲＲＣ再確立要求メッセージを用いてＲＲＣ再確立要求を開始することをさらに実行する。
【００８７】
選択的に、前記プロセッサ５００は、メモリ５２０におけるプログラムを読み取り、
ＲＬＣが対応する規格のデフォルト設定を用い、かつ無線インタフェースリソース設定シグナリングにより端末のＲＬＣ、ＭＡＣ及びＰＨＹ設定を再設定するように制御することをさらに実行する。
【００８８】
選択的に、前記プロセッサ５００は、メモリ５２０におけるプログラムを読み取り、
ネットワーク機器に、主要ＰＬＭＮを含むＣＧＩ情報を付帯している無線リンク失敗報告を送信することをさらに実行する。
【００８９】
選択的に、前記ＣＧＩ情報を送信する方式は、
ＬＴＥコアネットワークのＰＬＭＮリスト及びＮＲコアネットワークのＰＬＭＮリストを送信し、又は
ＮＲコアネットワークのＰＬＭＮリストを送信し、又は
ＬＴＥコアネットワークのＰＬＭＮリストを送信することを含む。
【００９０】
選択的に、主要ＰＬＭＮは、ＬＴＥコアネットワークのＰＬＭＮリスト中の１番目のＰＬＭＮであってよく、又は
主要ＰＬＭＮは、ＮＲコアネットワークのＰＬＭＮリスト中の１番目のＰＬＭＮであってよく、又は
ＬＴＥコアネットワークのＰＬＭＮリスト及びＮＲコアネットワークのＰＬＭＮリストが同時に存在する場合、主要ＰＬＭＮはＬＴＥコアネットワークのＰＬＭＮリスト中の１番目のＰＬＭＮであってよく、又は
ＬＴＥコアネットワークのＰＬＭＮリスト及びＮＲコアネットワークのＰＬＭＮリストが同時に存在する場合、主要ＰＬＭＮはＮＲコアネットワークのＰＬＭＮリスト中の１番目のＰＬＭＮであってよく、又は
ＬＴＥコアネットワークのＰＬＭＮリスト及びＮＲコアネットワークのＰＬＭＮリストが同時に存在し、かつＬＴＥコアネットワークのＰＬＭＮリストが無効値である場合、主要ＰＬＭＮはＮＲコアネットワークのＰＬＭＮリスト中の１番目のＰＬＭＮであってよく、又は
端末がＬＴＥコアネットワークの非アクセス層にある場合、主要ＰＬＭＮはＬＴＥコアネットワークのＰＬＭＮリスト中の１番目のＰＬＭＮであってよく、又は
端末がＮＲコアネットワークの非アクセス層にある場合、主要ＰＬＭＮはＮＲコアネットワークのＰＬＭＮリスト中の１番目のＰＬＭＮであってよい。
【００９１】
図６は、本開示の各実施例を実現する端末のハードウェア構成概略図であり、該端末６００は、無線周波数ユニット６０１、ネットワークモジュール６０２、オーディオ出力ユニット６０３、入力ユニット６０４、センサー６０５、表示ユニット６０６、ユーザ入力ユニット６０７、インタフェースユニット６０８、メモリ６０９、プロセッサ６１０及び電源６１１などの部品を含むが、これらに限定されない。当業者が理解できるように、図６に示す端末構成は、端末を限定するものではなく、端末は、図示より多いか又は少ない部品を含んでよく、ある部品を組み合わせたり、異なる部品を配置したりしてもよい。本開示の実施例では、端末は、携帯電話、タブレットパーソナルコンピュータ、ノートパソコン、ハンドトップコンピュータ、車載端末、ウェアラブルデバイス及び歩数計などを含むが、これらに限定されない。
【００９２】
ここで、プロセッサ６１０は、ＲＲＣ再確立完了メッセージを送信するための、ＳＲＢ１に対してＰＤＣＰ設定を行う、第１のネットワークをサポートする第１のタイプのＰＤＣＰ又は第２のネットワークをサポートする第２のタイプのＰＤＣＰを含む、ＰＤＣＰタイプを特定し、前記ＰＤＣＰ設定を行うＰＤＣＰタイプに基づいて、前記ネットワーク機器にＲＲＣ再確立完了メッセージを送信する。
【００９３】
本開示の実施例に係る上記技術手段によれば、端末は、ＲＲＣ再確立完了メッセージを送信するための、ＳＲＢ１に対してＰＤＣＰ設定を行うＰＤＣＰタイプを特定し、前記ＰＤＣＰ設定を行うＰＤＣＰタイプに基づいて前記ネットワーク機器にＲＲＣ再確立完了メッセージを送信し、それにより端末はＲＲＣ再確立プロセスにおいてＳＲＢ１によって用いられるＰＤＣＰタイプを特定することができる。
【００９４】
なお、本開示の実施例では、無線周波数ユニット６０１は、情報の送受信中又は通話中の信号の送受信に用いられてよく、具体的には、ネットワーク機器からのダウンリンクデータを受信した後、プロセッサ６１０に処理させ、また、アップリンクデータをネットワーク機器に送信する。一般的に、無線周波数ユニット６０１は、アンテナ、少なくとも１つの増幅器、送受信機、カプラ、低雑音増幅器、デュプレクサなどを含むが、これらに限定されない。また、無線周波数ユニット６０１は、さらに無線通信システムによりネットワーク及び他の機器と通信することができる。
【００９５】
端末は、ネットワークモジュール６０２によりユーザに無線のブロードバンドインターネットアクセスを提供して、ユーザの電子メールの送受信、ウェブの閲覧及びストリーミングメディアのアクセスなどを助ける。
【００９６】
オーディオ出力ユニット６０３は、無線周波数ユニット６０１又はネットワークモジュール６０２によって受信されるか又はメモリ６０９に記憶されるオーディオデータをオーディオ信号に変換して音声として出力することができる。そして、オーディオ出力ユニット６０３は、端末６００によって実行される特定の機能に関連するオーディオ出力（例えば、呼出音、メッセージ着信音など）をさらに提供することができる。オーディオ出力ユニット６０３は、スピーカ、ブザー及びレシーバーなどを含む。
【００９７】
入力ユニット６０４は、オーディオ又はビデオ信号を受信する。入力ユニット６０４は、ＧＰＵ（Ｇｒａｐｈｉｃｓ  Ｐｒｏｃｅｓｓｉｎｇ  Ｕｎｉｔ）６０４１及びマイクロホン６０４２を含んでよく、ＧＰＵ６０４１は、動画撮影モード又は撮影モードで撮影機器（例えば、カメラ）により取得された静止画像又はビデオの画像データを処理する。処理後の画像フレームは、表示ユニット６０６に表示することができる。グラフィック処理ユニット６０４１によって処理された画像フレームは、メモリ６０９（又は他の記憶媒体）に記憶されてよく、又は無線周波数ユニット６０１又はネットワークモジュール６０２によって送信されてよい。マイクロホン６０４２は、音声を受信し、かつこのような音声をオーディオデータに処理することができる。処理後のオーディオデータは、電話通話モードの場合に無線周波数ユニット６０１により移動通信ネットワーク機器に送信できるフォーマットに変換して出力することができる。
【００９８】
端末６００は、光センサー、動きセンサー及び他のセンサーなどの少なくとも１種のセンサー６０５を含んでよい。具体的には、光センサーは、環境光線の明るさに応じて表示パネル６０６１の輝度を調節することができる環境光センサーと、端末６００が耳元に移動するときに表示パネル６０６１及び／又はバックライトをオフにすることができる近接センサーとを含む。動きセンサーの１種として、加速センサーは、各方向（一般に３軸）の加速度の大きさを検出でき、静止時に重力の大きさ及び方向を検出でき、端末姿勢の識別（例えば、縦向き／横向きの切替、ゲーム関連、磁力計の姿勢較正）、振動識別に関連する機能（例えば、歩数計、タッピング）などに用いられてよく、センサー６０５は、指紋センサー、圧力センサー、虹彩センサー、分子センサー、ジャイロスコープ、気圧計、湿度計、温度計、赤外線センサーなどをさらに含んでよく、ここでは説明を省略する。
【００９９】
表示ユニット６０６は、ユーザにより入力された情報又はユーザに提供された情報を表示する。表示ユニット６０６は、表示パネル６０６１を含んでよく、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）などの形態で表示パネル６０６１を設定することができる。
【０１００】
ユーザ入力ユニット６０７は、入力された数字又は文字情報を受信すると共に、端末のユーザ設定及び機能制御に関連するキー信号入力を生成することができる。具体的には、ユーザ入力ユニット６０７は、タッチパネル６０７１及び他の入力機器６０７２を含む。タッチパネル６０７１は、タッチスクリーンとも呼ばれ、その上又はその近くでのユーザのタッチ操作（例えば、指、スタイラスペンなどの任意の適切な物体又は付属品を用いるタッチパネル６０７１上又はタッチパネル６０７１の近くでのユーザの操作）を収集することができる。タッチパネル６０７１は、タッチ検出装置及びタッチコントローラの２つの部品を含んでよい。タッチ検出装置は、ユーザのタッチ方向を検出し、タッチ操作による信号を検出し、信号をタッチコントローラに伝送し、タッチコントローラは、タッチ検出機器からタッチ情報を受信し、タッチポイント座標に変換して、プロセッサ６１０に送信し、プロセッサ６１０から送信されたコマンドを受信して実行する。また、抵抗式、容量式、赤外線式及び表面弾性波式などの複数のタイプでタッチパネル６０７１を実現することができる。タッチパネル６０７１に加えて、ユーザ入力ユニット６０７は、さらに、他の入力機器６０７２を含んでよい。具体的には、他の入力機器６０７２は、物理キーボード、機能キー（例えば、ボリューム調節キー、スイッチキーなど）、トラックボール、マウス及び操作レバーを含んでよいが、これらに限定されず、ここでは説明を省略する。
【０１０１】
さらに、タッチパネル６０７１は、表示パネル６０６１をカバーすることができ、タッチパネル６０７１がその上又はその近くでのタッチ操作を検出した後、プロセッサ６１０に伝送してタッチイベントのタイプを特定し、その後にプロセッサ６１０は、タッチイベントのタイプに応じて対応する視覚的出力を表示パネル６０６１に提供する。図６において、タッチパネル６０７１と表示パネル６０６１は、２つの独立した部品として端末の入出力機能を実現するが、いくつかの実施例では、タッチパネル６０７１と表示パネル６０６１を一体化して端末の入出力機能を実現することができ、ここでは具体的に限定しない。
【０１０２】
インタフェースユニット６０８は、外部装置と端末６００を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポートなどを含んでよい。インタフェースユニット６０８は、外部装置からの入力（例えば、データ情報、電力など）を受信すると共に、受信した入力を端末６００内の１つ以上の素子に伝送するか又は端末６００と外部機器との間にデータを伝送することができる。
【０１０３】
メモリ６０９は、ソフトウェアプログラム及び様々なデータを記憶することができる。メモリ６０９は、主に、オペレーティングシステム、少なくとも１つの機能（例えば、音声再生機能、画像再生機能など）に必要なアプリケーションプログラムなどを記憶できるプログラム記憶領域と、携帯電話の使用に応じて作成されたデータ（例えば、オーディオデータ、電話帳など）などを記憶できるデータ記憶領域とを含んでよい。また、メモリ６０９は、高速ランダムアクセスメモリを含んでよく、さらに、少なくとも１つの磁気ディスクメモリ素子、フラッシュメモリ素子又は他の揮発性固体メモリ素子などの揮発性メモリを含んでよい。
【０１０４】
プロセッサ６１０は、端末の制御センターであり、様々なインタフェースと回線により端末全体の各部分に接続され、メモリ６０９に記憶されているソフトウェアプログラム及び／又はモジュールを動作させるか又は実行し、メモリ６０９に記憶されているデータを呼び出すことにより、端末の様々な機能とデータ処理を実行して、端末全体を監視する。プロセッサ６１０は、１つ以上の処理ユニットを含んでよく、選択的に、プロセッサ６１０は、主にオペレーティングシステム、ユーザインタフェース及びアプリケーションプログラムなどを処理するアプリケーションプロセッサと、主に無線通信を処理するモデムプロセッサとを集積することができる。上記モデムプロセッサは、プロセッサ６１０に集積されなくてよいことを理解されたい。
【０１０５】
端末６００は、さらに、各部品に給電する電源６１１（例えば、電池）を含んでよく、選択的に、電源６１１は、電源管理システムによりプロセッサ６１０と論理的に接続されて、電源管理システムにより充電、放電の管理及び消費電力の管理などの機能を実現することができる。
【０１０６】
また、端末６００は、いくつかの未図示の機能モジュールを含み、ここでは説明を省略する。
【０１０７】
図７に示すように、本開示の実施例は、
端末から送信されたＲＲＣ再確立完了メッセージを受信すると、端末がアクセスしようとするターゲットネットワークがサポートする、第１のネットワークをサポートする第１のタイプのＰＤＣＰ又は第２のネットワークをサポートする第２のタイプのＰＤＣＰを含むＰＤＣＰタイプを特定する第１の受信モジュール７０１と、
特定されたＰＤＣＰタイプに基づいて、ＲＲＣの後続プロセスにおけるベアラを再設定する再設定モジュール７０２と、を含む、ネットワーク機器７００をさらに提供する。
【０１０８】
本開示の実施例に係るネットワーク機器について、前記再設定モジュールは、端末が第１のタイプのＰＤＣＰを用いてＳＲＢ１を設定することを検出し、かつ端末がアクセスしようとするターゲットネットワークがサポートするＰＤＣＰタイプが第２のタイプのＰＤＣＰであると特定した場合、第２のタイプのＰＤＣＰを用いてＲＲＣ再確立プロセスにおける全てのベアラを再設定し、
又は、端末が第１のタイプのＰＤＣＰを用いてＳＲＢ１を設定することを検出し、かつ端末がアクセスしようとするターゲットネットワークがサポートするＰＤＣＰタイプが第２のタイプのＰＤＣＰではないと特定した場合、第１のタイプのＰＤＣＰを用いてＲＲＣ再確立プロセスにおける全てのベアラを再設定する。
【０１０９】
本開示の実施例に係るネットワーク機器について、前記再設定モジュールは、再設定シグナリングにより、第２のタイプのＰＤＣＰを用いてＲＲＣ再確立プロセスにおける全てのベアラを再設定し、
又は、ＲＲＣ再確立プロセスにおいてプリセットメッセージが伝送されたか又は所定の条件が満たされた後に、第２のタイプのＰＤＣＰを用いてＲＲＣ再確立プロセスにおける全てのベアラを再設定する。
【０１１０】
本開示の実施例に係るネットワーク機器は、
ＱｏＳフローからＥＰＳベアラへのマッピングを行う第１のマッピングモジュールと、
確立されたＳＤＡＰエンティティを削除する第１の削除モジュールと、
ＮＲコアネットワークの暗号鍵からＬＴＥコアネットワーク暗号鍵への変換をマッピングにより行い、ＬＴＥ無線インタフェースによって用いられる暗号鍵を得るための第１の変換モジュールと、をさらに含む。
【０１１１】
本開示の実施例に係るネットワーク機器について、前記再設定モジュールは、端末が第２のタイプのＰＤＣＰを用いてＳＲＢ１を設定することを検出し、かつ端末がアクセスしようとするターゲットネットワークがサポートするＰＤＣＰタイプが第２のタイプのＰＤＣＰであると特定した場合、ＲＲＣ再確立プロセスにおけるベアラに対して元の設定を保持するか、又は第１のタイプのＰＤＣＰを用いてＲＲＣ再確立プロセスにおける全てのベアラを再設定し、
又は、端末が第２のタイプのＰＤＣＰを用いてＳＲＢ１を設定することを検出し、かつ端末がアクセスしようとするターゲットネットワークがサポートするＰＤＣＰタイプが第２のタイプのＰＤＣＰではないと特定したが、ＲＲＣ再確立完了メッセージを解析することができる場合、第１のタイプのＰＤＣＰを用いてＲＲＣ再確立プロセスにおける全てのベアラを再設定し、
又は、端末が第２のタイプのＰＤＣＰを用いてＳＲＢ１を設定することを検出し、かつ端末がアクセスしようとするターゲットネットワークがサポートするＰＤＣＰタイプが第２のタイプのＰＤＣＰではないと特定したが、ＲＲＣ再確立完了メッセージを解析することができない場合、前記ＲＲＣ再確立完了メッセージの拒否を送信する。
【０１１２】
本開示の実施例に係るネットワーク機器は、
前記端末から送信された、主要ＰＬＭＮを含むＣＧＩ情報を付帯している無線リンク測定失敗報告を受信する第２の受信モジュールをさらに含む。
【０１１３】
本開示の実施例は、メモリと、プロセッサと、メモリに記憶され、かつプロセッサ上で実行でき、前記プロセッサにより実行されると、上記ネットワーク機器に適用されるＲＲＣ接続再確立のベアラ設定方法の実施例における各プロセスを実現し、かつ同じ技術的効果を達成することができるコンピュータプログラムと、を含む端末をさらに提供し、重複を避けるために、ここでは説明を省略する。
【０１１４】
本開示の実施例は、プロセッサにより実行されると、上記ネットワーク機器に適用されるＲＲＣ接続再確立のベアラ設定方法の実施例における各プロセスを実現し、かつ同じ技術的効果を達成することができるコンピュータプログラムが記憶されているコンピュータ読み取り可能な記憶媒体をさらに提供し、重複を避けるために、ここでは説明を省略する。前記コンピュータ読み取り可能な記憶媒体は、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、ディスク又は光ディスクなどであってよい。
【０１１５】
図８に示すように、本開示の実施例は、プロセッサ８０１、トランシーバ８０２、メモリ８０３及びバスインタフェースを含むネットワーク機器８００をさらに提供し、
プロセッサ８０１は、メモリ８０３におけるプログラムを読み取り、
端末から送信されたＲＲＣ再確立完了メッセージを受信すると、端末がアクセスしようとするターゲットネットワークがサポートする、第１のネットワークをサポートする第１のタイプのＰＤＣＰ又は第２のネットワークをサポートする第２のタイプのＰＤＣＰを含むＰＤＣＰタイプを特定するプロセスと、
特定されたＰＤＣＰタイプに基づいて、ＲＲＣの後続プロセスにおけるベアラを再設定するプロセスとを実行する。
【０１１６】
図８において、バスアーキテクチャは、任意の数の相互接続されたバス及びブリッジを含んでよく、具体的には、プロセッサ８０１に代表される１つ以上のプロセッサ及びメモリ８０３に代表されるメモリの様々な回路によって一体に接続されている。バスアーキテクチャは、さらに、周辺機器、電圧レギュレータ及びパワー管理回路などの様々なその他の回路を一体に接続してよく、これらは、いずれも本分野において既知のものであるため、本明細書においてさらに説明しない。バスインタフェースは、インタフェースを提供する。トランシーバ８０２は、複数の部品であってよく、即ち送信機及び受信機を含み、伝送媒体上で様々な他の装置と通信するためのユニットを提供する。
【０１１７】
プロセッサ８０１は、バスアーキテクチャ及び一般的な処理の管理を担当し、メモリ８０３は、プロセッサ８０１が操作実行時に用いるデータを記憶してよい。
【０１１８】
選択的に、前記プロセッサ８０１は、メモリ８０３におけるプログラムを読み取り、
端末が第１のタイプのＰＤＣＰを用いてＳＲＢ１を設定することを検出し、かつ端末がアクセスしようとするターゲットネットワークがサポートするＰＤＣＰタイプが第２のタイプのＰＤＣＰであると特定した場合、第２のタイプのＰＤＣＰを用いてＲＲＣ再確立プロセスにおける全てのベアラを再設定し、又は
端末が第１のタイプのＰＤＣＰを用いてＳＲＢ１を設定することを検出し、かつ端末がアクセスしようとするターゲットネットワークがサポートするＰＤＣＰタイプが第２のタイプのＰＤＣＰではないと特定した場合、第１のタイプのＰＤＣＰを用いてＲＲＣ再確立プロセスにおける全てのベアラを再設定することをさらに実行する。
【０１１９】
選択的に、前記プロセッサ８０１は、メモリ８０３におけるプログラムを読み取り、
再設定シグナリングにより、第２のタイプのＰＤＣＰを用いてＲＲＣ再確立プロセスにおける全てのベアラを再設定し、
又は、ＲＲＣ再確立プロセスにおいてプリセットメッセージが伝送されたか又は所定の条件が満たされた後に、第２のタイプのＰＤＣＰを用いてＲＲＣ再確立プロセスにおける全てのベアラを再設定することをさらに実行する。
【０１２０】
選択的に、前記プロセッサ８０１は、メモリ８０３におけるプログラムを読み取り、
ＱｏＳフローからＥＰＳベアラへのマッピングを行うことと、
確立されたＳＤＡＰエンティティを削除することと、
ＮＲコアネットワークの暗号鍵からＬＴＥコアネットワーク暗号鍵への変換をマッピングにより行い、ＬＴＥ無線インタフェースによって用いられる暗号鍵を得ることと、をさらに実行する。
【０１２１】
選択的に、前記プロセッサ８０１は、メモリ８０３におけるプログラムを読み取り、
端末が第２のタイプのＰＤＣＰを用いてＳＲＢ１を設定することを検出し、かつ端末がアクセスしようとするターゲットネットワークがサポートするＰＤＣＰタイプが第２のタイプのＰＤＣＰであると特定した場合、ＲＲＣ再確立プロセスにおけるベアラに対して元の設定を保持するか、又は第１のタイプのＰＤＣＰを用いてＲＲＣ再確立プロセスにおける全てのベアラを再設定し、
又は、端末が第２のタイプのＰＤＣＰを用いてＳＲＢ１を設定することを検出し、かつ端末がアクセスしようとするターゲットネットワークがサポートするＰＤＣＰタイプが第２のタイプのＰＤＣＰではないと特定したが、ＲＲＣ再確立完了メッセージを解析することができる場合、第１のタイプのＰＤＣＰを用いてＲＲＣ再確立プロセスにおける全てのベアラを再設定し、
又は、端末が第２のタイプのＰＤＣＰを用いてＳＲＢ１を設定することを検出し、かつ端末がアクセスしようとするターゲットネットワークがサポートするＰＤＣＰタイプが第２のタイプのＰＤＣＰではないと特定したが、ＲＲＣ再確立完了メッセージを解析することができない場合、ＲＲＣ再確立完了メッセージの拒否を送信することをさらに実行する。
【０１２２】
選択的に、前記プロセッサ８０１は、メモリ８０３におけるプログラムを読み取り、
端末から送信された、主要ＰＬＭＮを含むＣＧＩ情報を付帯している無線リンク測定失敗報告を受信することをさらに実行する。
【０１２３】
なお、本明細書において、用語「含む」、「含有」又はその如何なる他の変形は、非排他性の包含をカバーすることを意図することにより、一連の要素を含むプロセス、方法、物品又は装置は、それらの要素を含むだけでなく、明確に列記されていない他の要素も含み、又はこのようなプロセス、方法、物品又は装置の固有の要素をさらに含む。より多くの限定がない場合に、語句「．．．を１つ含む」により限定された要素は、該要素を含むプロセス、方法、物品又は装置にさらに別の同一の要素が存在することを排除するものではない。
【０１２４】
以上の実施形態の説明により、当業者は、上記実施例の方法がソフトウェアと必要な汎用ハードウェアプラットフォームを併用した方式で実現でき、当然のことながらハードウェアでも実現できるが、多くの場合に前者がより好ましい実施形態であることを明確に理解することができる。このような理解に基づいて、本開示の技術手段は、本質的又は従来技術に寄与する部分がソフトウェア製品の形態で具現化されてもよく、該コンピュータソフトウェア製品は、記憶媒体（例えば、ＲＯＭ／ＲＡＭ、磁気ディスク、光ディスク）内に記憶され、一台の端末（携帯電話、コンピュータ、サーバ、エアコン又はネットワーク機器などであってもよい）に本開示の各実施例に記載の方法を実行させるための複数の命令を含む。
【０１２５】
以上で添付図面を結合して本開示の実施例を説明したが、本開示は、上記具体的な実施形態に限定されるものではなく、上記具体的な実施形態は、ただ例示的なものであり、制限的なものではなく、当業者であれば本開示の示唆で、本開示の趣旨及び特許請求の範囲の保護範囲から逸脱せずに多くの形式を行うことができ、これらはいずれも本開示の保護範囲内に属する。
【符号の説明】
【０１２６】
１１  ユーザ端末
１２  基地局
４００  端末
４０１  特定モジュール
４０２  第１の送信モジュール
５００  プロセッサ
５１０  トランシーバ
５２０  メモリ
５３０  ユーザインタフェース
６００  端末
６０１  無線周波数ユニット
６０２  ネットワークモジュール
６０３  オーディオ出力ユニット
６０４  入力ユニット
６０４１  グラフィック処理ユニット
６０４２  マイクロホン
６０５  センサー
６０６  表示ユニット
６０６１  表示パネル
６０７  ユーザ入力ユニット
６０７１  タッチパネル
６０７２  入力機器
６０８  インタフェースユニット
６０９  メモリ
６１０  プロセッサ
６１１  電源
７００  ネットワーク機器
７０１  第１の受信モジュール
７０２  再設定モジュール
８００  ネットワーク機器
８０１  プロセッサ
８０２  トランシーバ
８０３  メモリ
【図１】
2021521739.tif 000003
【図２】
2021521739.tif 000004
【図３】
2021521739.tif 000005
【図４】
2021521739.tif 000006
【図５】
2021521739.tif 000007
【図６】
2021521739.tif 000008
【図７】
2021521739.tif 000009
【図８】
2021521739.tif 000010
【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
端末に適用されるＲＲＣ（Ｒａｄｉｏ  Ｒｅｓｏｕｒｃｅ  Ｃｏｎｔｒｏｌ）接続再確立のベアラ設定方法であって、
ＲＲＣ再確立完了メッセージを送信するための、ＳＲＢ（Ｓｉｇｎａｌｉｎｇ  ｒａｄｉｏ  ｂｅａｒｅｒ）１に対してＰＤＣＰ（Ｐａｃｋｅｔ  Ｄａｔａ  Ｃｏｎｖｅｒｇｅｎｃｅ  Ｐｒｏｔｏｃｏｌ）設定を行う、第１のネットワークをサポートする第１のタイプのＰＤＣＰ又は第２のネットワークをサポートする第２のタイプのＰＤＣＰを含む、ＰＤＣＰタイプを特定することと、
前記ＰＤＣＰ設定を行うＰＤＣＰタイプに基づいて、ネットワーク機器にＲＲＣ再確立完了メッセージを送信することと、を含む、ＲＲＣ接続再確立のベアラ設定方法。
【請求項２】
ＲＲＣ再確立完了メッセージを送信するための、ＳＲＢ１に対してＰＤＣＰ設定を行うＰＤＣＰタイプを特定することは、
予め定義された方式に基づいて、又はターゲットアクセスネットワークがサポートするＰＤＣＰタイプが前記第２のタイプのＰＤＣＰではないか又は端末のアクセスがタイムアウトすることを検出した場合、ＲＲＣ再確立完了メッセージを送信するための、前記ＳＲＢ１に対してＰＤＣＰ設定を行うＰＤＣＰタイプが前記第１のタイプのＰＤＣＰにフォールバックすると特定することを含む、請求項１に記載のＲＲＣ接続再確立のベアラ設定方法。
【請求項３】
ＲＲＣ再確立完了メッセージを送信するための、ＳＲＢ１に対してＰＤＣＰ設定を行うＰＤＣＰタイプを特定することは、
予め定義された方式に基づいて、又はアクセスされたターゲットネットワークがサポートするＰＤＣＰタイプが前記第２のタイプのＰＤＣＰであることを検出した場合、ＲＲＣ再確立完了メッセージを送信するための、前記ＳＲＢ１に対してＰＤＣＰ設定を行うＰＤＣＰタイプが前記第２のタイプのＰＤＣＰであると特定することを含む、請求項１に記載のＲＲＣ接続再確立のベアラ設定方法。
【請求項４】
前記ネットワーク機器にＲＲＣ再確立完了メッセージを送信する前に、
再確立の対象となるネットワーク規格に基づいて、ＮＲ  ＲＲＣ再確立要求メッセージを用いてＲＲＣ再確立要求を開始すること、又は
ＬＴＥ  ＲＲＣ再確立要求メッセージを用いてＲＲＣ再確立要求を開始することをさらに含む、請求項３に記載のＲＲＣ接続再確立のベアラ設定方法。
【請求項５】
ＲＬＣ（Ｒａｄｉｏ  ｒｅｓｏｕｒｃｅ  ｃｏｎｔｒｏｌ）層が、対応する規格のデフォルト設定を用い、かつ無線インタフェースリソース設定シグナリングにより、端末のＲＬＣ層、ＭＡＣ（ｍｅｄｉａ  ａｃｃｅｓｓ  ｃｏｎｔｒｏｌ）層及びＰＨＹ（ｐｈｙｓｉｃａｌ  ｌａｙｅｒ）層を再設定することを含む、請求項４に記載のＲＲＣ接続再確立のベアラ設定方法。
【請求項６】
ＲＲＣ再確立要求を開始する前に、
ネットワーク機器に、主要ＰＬＭＮを含むＣＧＩ情報を付帯している無線リンク失敗報告を送信することをさらに含む、請求項５に記載のＲＲＣ接続再確立のベアラ設定方法。
【請求項７】
前記ＣＧＩ情報は、
ＬＴＥ（Ｌｏｎｇ  ｔｅｒｍ  ｅｖｏｌｕｔｉｏｎ）コアネットワークのＰＬＭＮリスト及びＮＲ（Ｎｅｗ  Ｒａｄｉｏ）コアネットワークのＰＬＭＮリスト、又は
前記ＮＲコアネットワークのＰＬＭＮリスト、又は
前記ＬＴＥコアネットワークのＰＬＭＮリストを含む、請求項６に記載のＲＲＣ接続再確立のベアラ設定方法。
【請求項８】
前記主要ＰＬＭＮは、ＬＴＥコアネットワークのＰＬＭＮリスト中の１番目のＰＬＭＮであり、又は
前記主要ＰＬＭＮは、ＮＲコアネットワークのＰＬＭＮリスト中の１番目のＰＬＭＮであり、又は
ＬＴＥコアネットワークのＰＬＭＮリスト及びＮＲコアネットワークのＰＬＭＮリストが同時に存在する場合、前記主要ＰＬＭＮはＬＴＥコアネットワークのＰＬＭＮリスト中の１番目のＰＬＭＮであり、又は
ＬＴＥコアネットワークのＰＬＭＮリスト及びＮＲコアネットワークのＰＬＭＮリストが同時に存在する場合、前記主要ＰＬＭＮはＮＲコアネットワークのＰＬＭＮリスト中の１番目のＰＬＭＮであり、又は
ＬＴＥコアネットワークのＰＬＭＮリスト及びＮＲコアネットワークのＰＬＭＮリストが同時に存在し、かつＬＴＥコアネットワークのＰＬＭＮリストが無効値である場合、前記主要ＰＬＭＮはＮＲコアネットワークのＰＬＭＮリスト中の１番目のＰＬＭＮであり、又は
端末がＬＴＥコアネットワークの非アクセス層にある場合、前記主要ＰＬＭＮはＬＴＥコアネットワークのＰＬＭＮリスト中の１番目のＰＬＭＮであり、又は
端末がＮＲコアネットワークの非アクセス層にある場合、前記主要ＰＬＭＮはＮＲコアネットワークのＰＬＭＮリスト中の１番目のＰＬＭＮである、請求項７に記載のＲＲＣ接続再確立のベアラ設定方法。
【請求項９】
ネットワーク機器に適用されるＲＲＣ接続再確立のベアラ設定方法であって、
端末から送信されたＲＲＣ再確立完了メッセージを受信すると、前記端末がアクセスしようとするターゲットネットワークがサポートする、第１のネットワークをサポートする第１のタイプのＰＤＣＰ又は第２のネットワークをサポートする第２のタイプのＰＤＣＰを含むＰＤＣＰタイプを特定することと、
特定された前記ＰＤＣＰタイプに基づいて、ＲＲＣの後続プロセスにおけるベアラを再設定することと、を含む、ＲＲＣ接続再確立のベアラ設定方法。
【請求項１０】
特定された前記ＰＤＣＰタイプに基づいて、ＲＲＣの後続プロセスにおけるベアラを再設定することは、
前記端末が前記第１のタイプのＰＤＣＰを用いてＳＲＢ１を設定することを検出し、かつ前記端末がアクセスしようとするターゲットネットワークがサポートするＰＤＣＰタイプが前記第２のタイプのＰＤＣＰであると特定した場合、前記第２のタイプのＰＤＣＰを用いてＲＲＣ再確立プロセスにおける全てのベアラを再設定すること、又は、
前記端末が前記第１のタイプのＰＤＣＰを用いてＳＲＢ１を設定することを検出し、かつ前記端末がアクセスしようとするターゲットネットワークがサポートするＰＤＣＰタイプが前記第２のタイプのＰＤＣＰではないと特定した場合、前記第１のタイプのＰＤＣＰを用いてＲＲＣ再確立プロセスにおける全てのベアラを再設定すること、を含む、請求項９に記載のＲＲＣ接続再確立のベアラ設定方法。
【請求項１１】
前記第１のタイプのＰＤＣＰを用いてＲＲＣ再確立プロセスにおける全てのベアラを再設定した後に、
ＱｏＳフローからＥＰＳ（Ｅｖｏｌｖｅｄ  ｐａｃｋｅｔ  ｓｙｓｔｅｍ）ベアラへのマッピングを行うことと、
確立されたＳＤＡＰ（Ｓｅｒｖｉｃｅ  Ｄａｔａ  Ａｄａｐｔａｔｉｏｎ  Ｐｒｏｔｏｃｏｌ）エンティティを削除することと、
ＮＲコアネットワークの暗号鍵からＬＴＥコアネットワーク暗号鍵への変換をマッピングにより行い、ＬＴＥ無線インタフェースによって用いられる暗号鍵を得ることと、をさらに含む、請求項１０に記載のＲＲＣ接続再確立のベアラ設定方法。
【請求項１２】
前記端末から送信された、主要ＰＬＭＮ（ｐｕｂｌｉｃ  ｌａｎｄ  ｍｏｂｉｌｅ  ｎｅｔｗｏｒｋ）の識別子を含むＣＧＩ（ｃｅｌｌ  ｇｌｏｂａｌ  ｉｄｅｎｔｉｔｙ）情報を付帯している無線リンク失敗報告を受信することをさらに含む、請求項９に記載の無線リソース制御ＲＲＣ接続再確立のベアラ設定方法。
【請求項１３】
ＲＲＣ再確立完了メッセージを送信するための、ＳＲＢ１に対してＰＤＣＰ設定を行う、第１のネットワークをサポートする第１のタイプのＰＤＣＰ又は第２のネットワークをサポートする第２のタイプのＰＤＣＰを含む、ＰＤＣＰタイプを特定する特定モジュールと、
前記ＰＤＣＰ設定を行うＰＤＣＰタイプに基づいて、ネットワーク機器にＲＲＣ再確立完了メッセージを送信する第１の送信モジュールと、を含む、端末。
【請求項１４】
前記特定モジュールは、予め定義された方式に基づいて、又はターゲットアクセスネットワークがサポートするＰＤＣＰタイプが前記第２のタイプのＰＤＣＰではないか又は端末のアクセスがタイムアウトすることを検出した場合、ＲＲＣ再確立完了メッセージを送信するための、前記ＳＲＢ１に対してＰＤＣＰ設定を行うＰＤＣＰタイプが前記第１のタイプのＰＤＣＰにフォールバックすると特定する、請求項１３に記載の端末。
【請求項１５】
端末から送信されたＲＲＣ再確立完了メッセージを受信すると、前記端末がアクセスしようとするターゲットネットワークがサポートする、第１のネットワークをサポートする第１のタイプのＰＤＣＰ又は第２のネットワークをサポートする第２のタイプのＰＤＣＰを含むＰＤＣＰタイプを特定する第１の受信モジュールと、
特定された前記ＰＤＣＰタイプに基づいて、ＲＲＣの後続プロセスにおけるベアラを再設定する再設定モジュールと、を含む、ネットワーク機器。
【手続補正２】
【補正対象書類名】明細書
【補正対象項目名】０００３
【補正方法】変更
【補正の内容】
【０００３】
ＬＴＥについては、例えば、ＬＴＥ基地局がＥＰＣ（４Ｇコアネットワーク）とＮＧＣ（５Ｇコアネットワーク）と同時に接続されたり、ＬＴＥが５ＧＣのみに接続され、又はＬＴＥ基地局がＥＰＣのみに接続されたり、様々な配置が可能である。
【手続補正３】
【補正対象書類名】明細書
【補正対象項目名】０００６
【補正方法】変更
【補正の内容】
【０００６】
ＥＮ−ＤＣ（ＬＴＥとＮＲのデュアルコネクティビティ）アクセスプロセスにおいて、ＳＲＢ（Ｓｉｇｎａｌｉｎｇ  ｒａｄｉｏ  ｂｅａｒｅｒ）１／２がまずＬＴＥ  ＰＤＣＰ（Ｐａｃｋｅｔ  Ｄａｔａ  Ｃｏｎｖｅｒｇｅｎｃｅ  Ｐｒｏｔｏｃｏｌ）を用いることをデフォルトとし、次にｍｓｇ５を送信した後に、ネットワーク及びＵＥがＮＲ  ＰＤＣＰを使用することに自動的に暗黙的に変換する。その後、安全アクティブ化コマンドを送信する前に、ＳＲＢ２がＮＲ  ＰＤＣＰを使用するように再設定される。
【手続補正４】
【補正対象書類名】明細書
【補正対象項目名】００１０
【補正方法】変更
【補正の内容】
【００１０】
第２の態様では、本開示の実施例は、端末に適用されるＲＲＣ接続再確立のベアラ設定方法であって、
ＲＲＣ再確立完了メッセージを送信するための、ＳＲＢ（Ｓｉｇｎａｌｉｎｇ  ｒａｄｉｏ  ｂｅａｒｅｒ）１に対してＰＤＣＰ設定を行う、第１のネットワークをサポートする第１のタイプのＰＤＣＰ又は第２のネットワークをサポートする第２のタイプのＰＤＣＰを含む、ＰＤＣＰタイプを特定することと、
前記ＰＤＣＰ設定を行うＰＤＣＰタイプに基づいて、ネットワーク機器にＲＲＣ再確立完了メッセージを送信することと、を含む、ＲＲＣ接続再確立のベアラ設定方法をさらに提供する。
【手続補正５】
【補正対象書類名】明細書
【補正対象項目名】００２３
【補正方法】変更
【補正の内容】
【００２３】
図１を参照すると、図１は、本開示の実施例に係る適用可能なネットワークシステムの構成図であり、図１に示すように、ユーザ端末１１及び基地局１２を含み、ユーザ端末１１は、ＵＥ（Ｕｓｅｒ  Ｅｑｕｉｐｍｅｎｔ）であってよく、例えば、携帯電話、タブレットパーソナルコンピュータ（Ｔａｂｌｅｔ  Ｐｅｒｓｏｎａｌ  Ｃｏｍｐｕｔｅｒ）、ラップトップパソコン（Ｌａｐｔｏｐ  Ｃｏｍｐｕｔｅｒ）、パーソナルディジタルアシスタント（ｐｅｒｓｏｎａｌ  ｄｉｇｉｔａｌ  ａｓｓｉｓｔａｎｔ、ＰＤＡ）、ＭＩＤ（Ｍｏｂｉｌｅ  Ｉｎｔｅｒｎｅｔ  Ｄｅｖｉｃｅ、）又はウェアラブルデバイス（Ｗｅａｒａｂｌｅ  Ｄｅｖｉｃｅ）などの端末側機器であってよく、なお、本開示の実施例では、ユーザ端末１１の具体的なタイプを限定しない。上記基地局１２は、５Ｇ及びその以降のバージョンの基地局（例えば、ｇＮＢ、５Ｇ  ＮＲ  ＮＢ）又は他の通信システムにおける基地局であってよく、又はノードＢ、発展型ノードＢ、ＴＲＰ（ｔｒａｎｓｍｉｓｓｉｏｎ  ａｎｄ  ｒｅｃｅｐｔｉｏｎ  ｐｏｉｎｔ）又は前記分野における他の用語と呼ばれ、同様の技術的効果が達成される限り、前記基地局は特定の技術用語に限定されず、なお、本開示の実施例では、５Ｇ基地局のみを例とするが、基地局１２の具体的なタイプを限定しない。
【手続補正６】
【補正対象書類名】明細書
【補正対象項目名】００２４
【補正方法】変更
【補正の内容】
【００２４】
図２は、本開示の実施例に係るＲＲＣ接続再確立のベアラ設定方法のフローチャートであり、図２に示すように、本開示の実施例は、以下のステップ２０１〜ステップ２０２を含む、ネットワーク機器に適用されるＲＲＣ接続再確立のベアラ設定方法を提供する。
【手続補正７】
【補正対象書類名】明細書
【補正対象項目名】００４０
【補正方法】変更
【補正の内容】
【００４０】
ここで、ＵＥは、再確立の際にまずＮＲ  ＰＤＣＰ設定を用い、ターゲットアクセスネットワークがＮＲ  ＰＤＣＰをサポートすれば、それまでに保持されていたベアラがいずれもサポートされるか又はＬＴＥ  ＰＤＣＰを用いるように再設定されてよく、またターゲットアクセスネットワークがＮＲ  ＰＤＣＰをサポートしなく、ネットワーク機器が該ＲＲＣ再確立完了メッセージを識別すれば、ネットワーク機器は、全設定（ｆｕｌｌ  ｃｏｎｆｉｇｕｒａｔｉｏｎ）の方式で全てのベアラをＬＴＥ  ＰＤＣＰに変換してよく、ターゲットアクセスネットワークがＮＲ  ＰＤＣＰをサポートせず、ネットワーク機器が該ＲＲＣ再確立完了メッセージを識別しなければ、該メッセージを拒否してよく、後続のフローを行うことができない。
【手続補正８】
【補正対象書類名】明細書
【補正対象項目名】００４１
【補正方法】変更
【補正の内容】
【００４１】
これに基づいて、ＵＥは、再設定の際にＮＲ  ＰＤＣＰ設定を用い、ＵＥがＮＲ  ＲＲＣ再確立要求メッセージを用いてＲＲＣ再確立要求を開始することを許可するか又はＵＥがＬＴＥ  ＲＲＣ再確立要求メッセージを用いてＲＲＣ再確立要求を開始することを許可し、その際に暗号鍵（ｋｅｙ）、ＳＤＡＰ、ＰＤＣＰ設定が再利用可能であり、ＲＬＣは対応する規格のデフォルト設定を用い、かつ無線インタフェースリソース設定シグナリングにより該ＵＥのＲＬＣ層、ＭＡＣ層、ＰＨＹ層設定を再設定してよい。
【手続補正９】
【補正対象書類名】明細書
【補正対象項目名】００４２
【補正方法】変更
【補正の内容】
【００４２】
さらに、端末は、ｅＬＴＥセルにおいて再確立する場合、失敗報告ｆａｉｌｕｒｅ  ｒｅｐｏｒｔに、主要ＰＬＭＮ（ｐｒｉｍａｒｙ  ｐｕｂｌｉｃ  ｌａｎｄ  ｍｏｂｉｌｅ  ｎｅｔｗｏｒｋ）の識別子を含むＣＧＩ情報を報告する必要がある。
【手続補正１０】
【補正対象書類名】明細書
【補正対象項目名】００４３
【補正方法】変更
【補正の内容】
【００４３】
これに基づいて、本開示の実施例に係るＲＲＣ接続再確立のベアラ設定方法は、
端末から送信された、主要ＰＬＭＮの識別子を含むＣＧＩ情報を付帯している無線リンク失敗報告を受信することをさらに含む。
【手続補正１１】
【補正対象書類名】明細書
【補正対象項目名】００４７
【補正方法】変更
【補正の内容】
【００４７】
本開示の実施例に係るＲＲＣ接続再確立のベアラ設定方法によれば、端末から送信されたＲＲＣ再確立完了メッセージを受信すると、端末がアクセスしようとするターゲットネットワークがサポートするＰＤＣＰタイプを特定し、特定されたＰＤＣＰタイプに基づいて、ＲＲＣの再確立プロセスにおけるベアラを再設定し、それによりｅＬＴＥ又はＮＲセルにある端末がＲＲＣ接続再確立を行う際に、ＲＲＣ再確立プロセスにおいてベアラによって用いられるＰＤＣＰを特定することができ、ＲＲＣ再確立の成功を保証することができる。
【手続補正１２】
【補正対象書類名】明細書
【補正対象項目名】００５９
【補正方法】変更
【補正の内容】
【００５９】
ここで、ＵＥは、再確立の際にＮＲ  ＰＤＣＰ設定を用いる必要があり、アクセスされるべきセルが必ずｅＬＴＥをサポートすることをデフォルトし、即ち、ＣＮ（ＥＰＣ及びＮＧＣ）を渡る再確立は許可されていない。ネットワーク側は、該ＵＥのコンテキスト情報を事前に知り、再確立に失敗すると、セル選択をやり直す。
【手続補正１３】
【補正対象書類名】明細書
【補正対象項目名】００６１
【補正方法】変更
【補正の内容】
【００６１】
さらに、再確立の対象となるネットワーク規格に基づいて、ＮＲ  ＲＲＣ再確立要求メッセージを用いてＲＲＣ再確立要求を開始し、又はＬＴＥ  ＲＲＣ再確立要求メッセージを用いてＲＲＣ再確立要求を開始した後に、
ＲＬＣが対応する規格のデフォルト設定を用い、かつ無線インタフェースリソース設定シグナリングにより端末のＲＬＣ層、ＭＡＣ層及びＰＨＹ層の設定を再設定することをさらに含んでよい。
【手続補正１４】
【補正対象書類名】明細書
【補正対象項目名】００６２
【補正方法】変更
【補正の内容】
【００６２】
ＵＥは、再設定の際にＮＲ  ＰＤＣＰ設定を用い、ＵＥがＮＲ  ＲＲＣ再確立要求メッセージを用いてＲＲＣ再確立要求を開始することを許可するか又はＵＥがＬＴＥ  ＲＲＣ再確立要求メッセージを用いてＲＲＣ再確立要求を開始することを許可し、その際にｋｅｙ、ＳＤＡＰ、ＰＤＣＰ設定が再利用可能であり、ＲＬＣ層は対応する規格のデフォルト設定を用い、かつ無線インタフェースリソース設定シグナリングにより該ＵＥのＲＬＣ層、ＭＡＣ層、ＰＨＹ層設定を再設定してよい。
【手続補正１５】
【補正対象書類名】明細書
【補正対象項目名】００６３
【補正方法】変更
【補正の内容】
【００６３】
さらに、該ベアラ設定方法によれば、ＲＲＣ再確立要求を開始する前に、
ネットワーク機器に、主要ＰＬＭＮの識別子を含むＣＧＩ情報を付帯している無線リンク失敗報告を送信することをさらに含む。
【手続補正１６】
【補正対象書類名】明細書
【補正対象項目名】００７３
【補正方法】変更
【補正の内容】
【００７３】
本開示の実施例に係る端末は、
ＲＬＣ層が、対応する規格のデフォルト設定を用い、かつ無線インタフェースリソース設定シグナリングにより、端末のＲＬＣ層、ＭＡＣ層及びＰＨＹ層を再設定するように制御する設定モジュールをさらに含む。
【手続補正１７】
【補正対象書類名】明細書
【補正対象項目名】００７４
【補正方法】変更
【補正の内容】
【００７４】
本開示の実施例に係る端末は、
ネットワーク機器に、主要ＰＬＭＮの識別子を含むＣＧＩ情報を付帯している無線リンク失敗報告を送信する第２の送信モジュールをさらに含む。
【手続補正１８】
【補正対象書類名】明細書
【補正対象項目名】００８７
【補正方法】変更
【補正の内容】
【００８７】
選択的に、前記プロセッサ５００は、メモリ５２０におけるプログラムを読み取り、
ＲＬＣ層が対応する規格のデフォルト設定を用い、かつ無線インタフェースリソース設定シグナリングにより端末のＲＬＣ層、ＭＡＣ層及びＰＨＹ層設定を再設定するように制御することをさらに実行する。
【手続補正１９】
【補正対象書類名】明細書
【補正対象項目名】００８８
【補正方法】変更
【補正の内容】
【００８８】
選択的に、前記プロセッサ５００は、メモリ５２０におけるプログラムを読み取り、
ネットワーク機器に、主要ＰＬＭＮの識別子を含むＣＧＩ情報を付帯している無線リンク失敗報告を送信することをさらに実行する。
【手続補正２０】
【補正対象書類名】明細書
【補正対象項目名】００９８
【補正方法】変更
【補正の内容】
【００９８】
端末６００は、光センサー、動きセンサー及び他のセンサーなどの少なくとも１種のセンサー６０５を含んでよい。具体的には、光センサーは、環境光線の明るさに応じて表示パネル６０６１の輝度を調節することができる環境光センサーと、端末６００が耳元に移動するときに表示パネル６０６１及び／又はバックライトをオフにすることができる近接センサーとを含む。動きセンサーの１種として、加速センサーは、各方向（一般に３軸）の加速度の大きさを検出でき、静止時に重力の大きさ及び方向を検出でき、端末姿勢の識別（例えば、縦向き／横向きの切替、ゲーム関連、磁力計の姿勢較正）、振動識別に関連する機能（例えば、歩数計、タッピング）の実行などに用いられてよく、センサー６０５は、指紋センサー、圧力センサー、虹彩センサー、分子センサー、ジャイロスコープ、気圧計、湿度計、温度計、赤外線センサーなどをさらに含んでよく、ここでは説明を省略する。
【手続補正２１】
【補正対象書類名】明細書
【補正対象項目名】０１０３
【補正方法】変更
【補正の内容】
【０１０３】
メモリ６０９は、ソフトウェアプログラム及び様々なデータを記憶することができる。メモリ６０９は、主に、オペレーティングシステム、少なくとも１つの機能（例えば、音声再生機能、画像再生機能など）に必要なアプリケーションプログラムなどを記憶できるプログラム記憶領域と、携帯電話の使用に応じて作成されたデータ（例えば、オーディオデータ、電話帳など）などを記憶できるデータ記憶領域とを含んでよい。また、メモリ６０９は、高速ランダムアクセスメモリを含んでよく、さらに、少なくとも１つの磁気ディスクメモリ素子、フラッシュメモリ素子又は他の揮発性固体メモリ素子などの不揮発性メモリを含んでよい。
【手続補正２２】
【補正対象書類名】明細書
【補正対象項目名】０１１２
【補正方法】変更
【補正の内容】
【０１１２】
本開示の実施例に係るネットワーク機器は、
前記端末から送信された、主要ＰＬＭＮの識別子を含むＣＧＩ情報を付帯している無線リンク失敗報告を受信する第２の受信モジュールをさらに含む。
【手続補正２３】
【補正対象書類名】明細書
【補正対象項目名】０１２２
【補正方法】変更
【補正の内容】
【０１２２】
選択的に、前記プロセッサ８０１は、メモリ８０３におけるプログラムを読み取り、
端末から送信された、主要ＰＬＭＮの識別子を含むＣＧＩ情報を付帯している無線リンク失敗報告を受信することをさらに実行する。
【手続補正２４】
【補正対象書類名】明細書
【補正対象項目名】０１２４
【補正方法】変更
【補正の内容】
【０１２４】
以上の実施形態の説明により、当業者は、上記実施例の方法がソフトウェアと必要な汎用ハードウェアプラットフォームを併用した方式で実現でき、当然のことながらハードウェアでも実現できるが、多くの場合に前者がより好ましい実施形態であることを明確に理解することができる。このような理解に基づいて、本開示の技術手段は、本質的又は従来技術に寄与する部分がコンピュータソフトウェア製品の形態で具現化されてもよく、該コンピュータソフトウェア製品は、記憶媒体（例えば、ＲＯＭ／ＲＡＭ、磁気ディスク、光ディスク）内に記憶され、一台の端末（携帯電話、コンピュータ、サーバ、エアコン又はネットワーク機器などであってもよい）に本開示の各実施例に記載の方法を実行させるための複数の命令を含む。
【国際調査報告】
2021521739.tif 000011
2021521739.tif 000012
2021521739.tif 000013
2021521739.tif 000014